(57)【特許請求の範囲】
【請求項１】
予め記憶してある画面レイアウトに従って表示部に一又は複数の画面を設定して各画面に画像を表示する表示装置において、
前記画面の数が所定数である一又は複数の画面レイアウトと、前記画面の数が前記所定数とは異なる一又は複数の画面レイアウトとの類似度を示す値を記憶している記憶手段と、
前記画面の数を変更する場合に、変更後の数の画面を前記表示部に設定するための複数の画面レイアウトと、使用されている画面レイアウトとの類似度を示す値を前記記憶手段から読み出す読出手段と、
前記表示部に設定するための複数の画面レイアウトから、前記読出手段が読み出した類似度を示す値が所定値以上である一又は複数の画面レイアウトを選定する選定手段と、
該選定手段が選定した一又は複数の画面レイアウト中の任意の１つで前記表示部に一又は複数の画面を設定する設定手段と
を備えることを特徴とする表示装置。
【請求項２】
前記選定手段が複数の画面レイアウトを選定した場合に、前記複数の画面レイアウト夫々について、前記表示部の各画面にて画像を表示する領域の面積の合計を計算する計算手段を備え、
前記設定手段は、前記計算手段が計算した面積の合計が最も大きい画面レイアウトで一又は複数の画面を設定するように構成してあること
を特徴とする請求項１に記載の表示装置。
【請求項３】
ウェブページに係る画像を表示するブラウザ画面を追加する場合に、前記選定手段による選定を停止する停止手段と、
該停止手段が前記選定を停止した場合に、画像を表示している画面に前記ブラウザ画面を重畳する重畳手段と、
前記重畳手段が重畳したブラウザ画面に表示されるオブジェクトの選択を受け付ける選択受付手段と、
該選択受付手段が前記選択を受け付けた場合に前記ブラウザ画面を削除する削除手段と
を備え、
前記読出手段は、該削除手段が前記ブラウザ画面を削除した場合に、前記画面の数に１だけ追加した数の画面を前記表示部に設定するための一又は複数の画面レイアウトと、使用されている画面レイアウトとの類似度を示す値を読み出し、
前記設定手段は前記ブラウザ画面を含む一又は複数の画面を設定するように構成してあること
を特徴とする請求項１又は請求項２に記載の表示装置。
【請求項４】
前記ブラウザ画面の挿入位置に応じた値を記憶している第２の記憶手段と、
前記選定手段は、前記削除手段が前記ブラウザ画面を削除した場合に、前記読出手段が読み出した前記類似度を示す値、及び、前記第２の記憶手段に記憶してある前記ブラウザ画面の挿入位置に応じた値の合計が所定値以上である一又は複数の画面レイアウトを選定するように構成してあること
を特徴とする請求項３に記載の表示装置。
【請求項５】
請求項１から請求項４のいずれか１つに記載の表示装置と、
テレビジョン放送を受信するチューナ部と
を備え、
前記表示装置は、該チューナ部が受信したテレビジョン放送に係る画像を表示するように構成してあること
を特徴とするテレビジョン受信装置。
【請求項６】
表示部と、複数の画面レイアウト、及び、画像を表示する画面の数が所定数である一又は複数の画面レイアウトと前記画面の数が前記所定数とは異なる一又は複数の画面レイアウトとの類似度を示す値を記憶している記憶手段とを備える表示装置が、前記記憶手段に記憶してある画面レイアウトに従って前記表示部に一又は複数の画面を設定して各画面に画像を表示する表示方法において、
前記画面の数を変更する場合に、変更後の数の画面を前記表示部に設定するための複数の画面レイアウトと、使用されている画面レイアウトとの類似度を示す値を前記記憶手段から読み出し、
前記表示部に設定するための複数の画面レイアウトから、読み出した類似度を示す値が所定値以上である一又は複数の画面レイアウトを選定し、
選定した一又は複数の画面レイアウト中の任意の１つで前記表示部に一又は複数の画面を設定すること
を特徴とする表示方法。
【請求項７】
表示部と、複数の画面レイアウト、及び、画像を表示する画面の数が所定数である一又は複数の画面レイアウトと前記画面の数が前記所定数とは異なる一又は複数の画面レイアウトとの類似度を示す値を記憶している記憶手段とを備えるコンピュータに、前記記憶手段に記憶してある画面レイアウトに従って前記表示部に一又は複数の画面を設定させて各画面に画像を表示させるコンピュータプログラムにおいて、
コンピュータに、前記画面の数を変更する場合に変更後の数の画面を前記表示部に設定するための複数の画面レイアウトと、使用されている画面レイアウトとの類似度を示す値を前記記憶手段から読み出させ、
コンピュータに、前記表示部に設定するための複数の画面レイアウトから、読み出した類似度を示す値が所定値以上である一又は複数の画面レイアウトを選定させ、
コンピュータに、選定した一又は複数の画面レイアウト中の任意の１つで前記表示部に一又は複数の画面を設定させること
を特徴とするコンピュータプログラム。
【請求項８】
請求項７に記載のコンピュータプログラムを記録してあること
を特徴とするコンピュータでの読み取りが可能な記録媒体。
【発明の詳細な説明】
【技術分野】
【０００１】
本発明は、液晶パネル又は有機ＥＬ（Electro Luminescence）パネル等の表示部に設定した一又は複数の画面に画像を表示する表示装置、テレビジョン受信装置、表示方法及びコンピュータプログラム、並びに、該コンピュータプログラムを記録してある記録媒体に関する。
【背景技術】
【０００２】
現在、矩形状の表示部に一又は複数の画面を設定し、設定した一又は複数の画面夫々にテレビジョン放送又はウェブページ等に係る画像を表示する表示装置が普及している。
【０００３】
使用者は、表示部に設定する画面の数を変更する場合、変更した数の画面を表示部に設定するための複数の画面レイアウトの中から一の画面レイアウトを選定し、選定した画面レイアウトを調整する。表示装置は、選定及び調整が行われた画面レイアウトで一又は複数の画面を表示部に設定する。
【０００４】
ここで、画面数を変更した後に表示部に設定される画面の数が２画面以下である場合、例えば、表示部に設定される画面の数を１画面から２画面に変更する場合、使用者が選定することが可能な画面レイアウトの数は少ない。このため、使用者は表示部に無駄なく画像を表示する画面レイアウトを容易に選定することができる。また、表示部に設定される画面の数が少ないため、画面レイアウトの調整に必要な使用者の負荷も小さい。
【０００５】
しかし、画面数を変更した後に表示部に設定する画面の数が３画面以上である場合、例えば、表示部に設定される画面の数を３画面から４画面に変更する場合に、使用者が選定することが可能な画面レイアウトの数が多い。このため、表示部に無駄なく画像を表示する画面レイアウトの選定は使用者にとって負荷が大きい作業である。更に、表示部に設定される画面の数が多いため、画面レイアウトの調整に必要な使用者の負荷も大きい。
【０００６】
特許文献１及び２には、表示部に設定する画面の数を変更した場合に、変更した数の画面を表示する画面レイアウトを自動的に選定し、選定した画面レイアウトで一又は複数の画面を設定し、各画面に画像を表示する表示装置が開示されている。
【０００７】
特許文献１に記載の表示装置は、表示領域を均等に分割して得られる４画面、６画面、９画面、１２画面、１６画面及び２０画面の画面レイアウトを記憶している。特許文献１に記載の表示装置は、一又は複数の画面を設定する場合に、表示すべき画面の数以上の画面を設定することが可能な一又は複数の画面レイアウトの中から画面数が最小となる画面レイアウトを選定し、選定した画面レイアウトで一又は複数の画面を設定する。例えば、表示部に表示すべき画面の数が３画面である場合に４画面の画面レイアウトが選定される。
【０００８】
特許文献２に記載の表示装置は、テレビジョン放送に係る複数の画像から使用者が所定時間内に選択した一又は複数の画像を各別に表示する一又は複数の画面を設定するための画面レイアウトを選定する。特許文献２に記載の表示装置は、選定した画面レイアウトで一又は複数の画面を設定して、設定した一又は複数の画面に使用者が選択した画像を表示する。
【０００９】
特許文献１及び２に記載の表示装置おいては、表示部に設定する画面の数を変更した場合に、画面レイアウトが自動的に選定され、使用者は画面レイアウトを選定する必要がないため、画面数の変更に係る使用者の負荷は小さい。
【先行技術文献】
【特許文献】
【００１０】
【特許文献１】特開平１１−５５５９２号公報
【特許文献２】特開２０１０−８９８４号公報
【発明の概要】
【発明が解決しようとする課題】
【００１１】
しかしながら、特許文献１及び２に記載の表示装置では、表示部に設定する画面の数が変更された場合、変更した数の画面を表示部に設定するための画面レイアウトは、使用されている画面レイアウトを考慮して選定されていない。このため、表示部に設定する画面の数が変更された場合に、表示部に設定される一又は複数の画面が不自然に変更されて、使用者が違和感を抱く虞がある。
【００１２】
更に、特許文献１及び２に記載の表示装置では、例えば、表示部に３つの画面を設定する場合に、４画面の画面レイアウトが使用されており、画面数を変更した数と同じ数の画面を設定する画面レイアウトが使用されない。このため、特許文献１及び２に記載の表示装置では、表示部に設定する画面の数によっては、表示部に画像を表示していない無駄な領域が広く存在するという問題がある。
【００１３】
本発明は斯かる事情に鑑みてなされたものであり、その目的とするところは、画面数の変更に係る使用者の負荷が小さく、画面数を変更した場合に表示部に設定される一又は複数の画面の変更が自然であり、表示部に無駄なく画像を表示することができる表示装置、テレビジョン受信装置、表示方法及びコンピュータプログラム、並びに、該コンピュータプログラムを記録してある記録媒体を提供することにある。
【課題を解決するための手段】
【００１４】
本発明に係る表示装置は、予め記憶してある画面レイアウトに従って表示部に一又は複数の画面を設定して各画面に画像を表示する表示装置において、前記画面の数が所定数である一又は複数の画面レイアウトと、前記画面の数が前記所定数とは異なる一又は複数の画面レイアウトとの類似度を示す値を記憶している記憶手段と、前記画面の数を変更する場合に、変更後の数の画面を前記表示部に設定するための複数の画面レイアウトと、使用されている画面レイアウトとの類似度を示す値を前記記憶手段から読み出す読出手段と、前記表示部に設定するための複数の画面レイアウトから、前記読出手段が読み出した類似度を示す値が所定値以上である一又は複数の画面レイアウトを選定する選定手段と、該選定手段が選定した一又は複数の画面レイアウト中の任意の１つで前記表示部に一又は複数の画面を設定する設定手段とを備えることを特徴とする。
【００１５】
本発明に係る表示装置は、前記選定手段が複数の画面レイアウトを選定した場合に、前記複数の画面レイアウト夫々について、前記表示部の各画面にて画像を表示する領域の面積の合計を計算する計算手段を備え、前記設定手段は、前記計算手段が計算した面積の合計が最も大きい画面レイアウトで一又は複数の画面を設定するように構成してあることを特徴とする。
【００１６】
本発明に係る表示装置は、ウェブページに係る画像を表示するブラウザ画面を追加する場合に、前記選定手段による選定を停止する停止手段と、該停止手段が前記選定を停止した場合に、画像を表示している画面に前記ブラウザ画面を重畳する重畳手段と、前記重畳手段が重畳したブラウザ画面に表示されるオブジェクトの選択を受け付ける選択受付手段と、該選択受付手段が前記選択を受け付けた場合に前記ブラウザ画面を削除する削除手段とを備え、前記読出手段は、該削除手段が前記ブラウザ画面を削除した場合に、前記画面の数に１だけ追加した数の画面を前記表示部に設定するための一又は複数の画面レイアウトと、使用されている画面レイアウトとの類似度を示す値を読み出し、前記設定手段は前記ブラウザ画面を含む一又は複数の画面を設定するように構成してあることを特徴とする。
【００１７】
本発明に係る表示装置は、前記ブラウザ画面の挿入位置に応じた値を記憶している第２の記憶手段と、前記選定手段は、前記削除手段が前記ブラウザ画面を削除した場合に、前記読出手段が読み出した前記類似度を示す値、及び、前記第２の記憶手段に記憶してある前記ブラウザ画面の挿入位置に応じた値の合計が所定値以上である一又は複数の画面レイアウトを選定するように構成してあることを特徴とする。
【００１８】
本発明に係るテレビジョン受信装置は、前述の表示装置と、テレビジョン放送を受信するチューナ部とを備え、前記表示装置は、該チューナ部が受信したテレビジョン放送に係る画像を表示するように構成してあることを特徴とする。
【００１９】
本発明に係る表示方法は、表示部と、複数の画面レイアウト、及び、画像を表示する画面の数が所定数である一又は複数の画面レイアウトと前記画面の数が前記所定数とは異なる一又は複数の画面レイアウトとの類似度を示す値を記憶している記憶手段とを備える表示装置が、前記記憶手段に記憶してある画面レイアウトに従って前記表示部に一又は複数の画面を設定して各画面に画像を表示する表示方法において、前記画面の数を変更する場合に、変更後の数の画面を前記表示部に設定するための複数の画面レイアウトと、使用されている画面レイアウトとの類似度を示す値を前記記憶手段から読み出し、前記表示部に設定するための複数の画面レイアウトから、読み出した類似度を示す値が所定値以上である一又は複数の画面レイアウトを選定し、選定した一又は複数の画面レイアウト中の任意の１つで前記表示部に一又は複数の画面を設定することを特徴とする。
【００２０】
本発明に係るコンピュータプログラムは、表示部と、複数の画面レイアウト、及び、画像を表示する画面の数が所定数である一又は複数の画面レイアウトと前記画面の数が前記所定数とは異なる一又は複数の画面レイアウトとの類似度を示す値を記憶している記憶手段とを備えるコンピュータに、前記記憶手段に記憶してある画面レイアウトに従って前記表示部に一又は複数の画面を設定させて各画面に画像を表示させるコンピュータプログラムにおいて、コンピュータに、前記画面の数を変更する場合に変更後の数の画面を前記表示部に設定するための複数の画面レイアウトと、使用されている画面レイアウトとの類似度を示す値を前記記憶手段から読み出させ、コンピュータに、前記表示部に設定するための複数の画面レイアウトから、読み出した類似度を示す値が所定値以上である一又は複数の画面レイアウトを選定させ、コンピュータに、選定した一又は複数の画面レイアウト中の任意の１つで前記表示部に一又は複数の画面を設定させることを特徴とする。
【００２１】
本発明に係るコンピュータでの読み取りが可能な記録媒体は、前述のコンピュータプログラムを記録してあることを特徴とする。
【００２２】
本発明に係る表示装置、表示方法及びコンピュータプログラムにあっては、表示部に表示する画面の数を変更する場合、変更後の数の画面を表示部に設定するための複数の画面レイアウトと、使用されている画面レイアウトとの類似度を示す値を記憶手段から読み出す。そして、表示部に設定するための複数の画面レイアウトから、読み出した類似を示す値が所定値以上である一又は複数の画面レイアウトを選定する。そして、選定した一又は複数の画面レイアウト中の任意の１つで表示部に一又は複数の画面を設定する。
【００２３】
これにより、使用者は、画面数を変更する場合に画面レイアウトを選定する必要がないため、画面数の変更に係る使用者の負荷は小さい。また、使用者が画面数を変更する場合に、使用されている画面レイアウトとの類似度を示す値が所定値以上である一又は複数の画面レイアウトが選定され、選定された一又は複数の画面レイアウト中の任意の１つで一又は複数の画面が表示されるので、表示部に設定される一又は複数の画面の変更が自然である。
【００２４】
更に、例えば、表示部に設定する画面の数を３画面に変更する場合に３画面の画面レイアウトが選定され、変更した画面数に応じた画面レイアウトで一又は複数の画面が表示されるので、表示部に無駄なく画像が表示される。
【００２５】
本発明に係る表示装置にあっては、計算手段は、選定手段が複数の画面レイアウトを選定した場合に、複数の画面レイアウト夫々について、表示部の各画面にて画像を表示する領域の面積の合計を計算する。設定手段は、計算手段が計算した面積の合計が最も大きい画面レイアウトで一又は複数の画面を設定する。
【００２６】
これにより、変更した画面数に応じた複数の画面レイアウト中、表示部の各画面にて画像を表示する面積の合計が最も大きい画面レイアウトで一又は複数の画面を表示するので、表示部に、より無駄なく画像が表示される。
【００２７】
本発明に係る表示装置にあっては、停止手段は、ウェブページに係る画像を表示するブラウザ画面を追加する場合に選定手段による選定を停止する。重畳手段は、停止手段が選定を停止した場合に、画像を表示している画面にブラウザ画面を重畳する。そして、選択受付手段が、重畳してあるブラウザ画面に表示されるオブジェクトの選択を受け付けた場合、削除手段がブラウザ画面を削除する。
【００２８】
読出手段は、削除手段がブラウザ画面を削除した場合、画面数を１だけ追加して変更した数の画面を表示部に設定するための一又は複数の画面レイアウトと、使用されている画面レイアウトとの類似度を示す値を読み出す。選定手段は、表示部に設定するための複数の画面レイアウトから、読出手段が読み出した類似度を示す値が所定値以上である一又は複数の画面レイアウトを選定する。設定手段は、選定手段が選定した一又は複数の画面レイアウト中の任意の１つでブラウザ画面を含む一又は複数の画面を設定する。
【００２９】
使用者がブラウザ画面を使用してウェブページに係る画像を閲覧する場合に使用する時間は短いことが多い。使用者は、ブラウザ画面を短時間だけ使用する場合、画面レイアウトを変えることなくウェブページに係る画像を閲覧することができ、オブジェクトを選択してブラウザ画面を長時間使用する場合に、画像を表示している画面と並列にブラウザ画面が表示される。これにより、使用者の利便性が向上する。
【００３０】
本発明に係る表示装置にあっては、選定手段は、削除手段がブラウザ画面を削除してブラウザ画面を追加する場合に、類似度を示す値とブラウザ画面の挿入位置に応じた値との合計が所定値以上である一又は複数の画面レイアウトを選定する。
【００３１】
例えば、ブラウザ画面は、表示部の右側に設定されるべきである場合、同じ画面レイアウトであっても、表示部の右側にブラウザ画面を挿入する画面レイアウトの挿入位置に応じた値を大きくする。これにより、ブラウザ画面が表示部の右側のより自然な位置にある一又は複数の画面レイアウトが選定され、画面レイアウトの変更によって使用者が抱く違和感が少なくなる。
【００３２】
本発明に係るテレビジョン受信装置にあっては、表示装置は、チューナ部が受信したテレビジョン放送に係る画像を表示する。これにより、表示装置は、テレビジョン放送に係る画像を表示する画面が表示部に設定され、例えば、テレビジョン放送に係る複数の画像を同時に表示することが可能となる。
【００３３】
本発明に係る記録媒体にあっては、前述のコンピュータプログラムを記録する。コンピュータが前述のコンピュータプログラムを読み出して実行することによって、前述の表示装置及び表示方法がコンピュータで実現される。
【発明の効果】
【００３４】
本発明によれば、画面の数を変更する場合に使用されている画面レイアウトとの類似度を示す値が所定値以上であり、変更後の画面数に応じた画面レイアウトを選定するので、画面数の変更に係る使用者の負荷が小さく、画面数を変更した場合に表示部に設定される一又は複数の画面の変更が自然であり、表示部に無駄なく画像を表示することができる。
【図面の簡単な説明】
【００３５】
【図１】実施の形態１におけるテレビジョン受信装置の構成を示すブロック図である。
【図２】２画面の画面レイアウトを示す模式図である。
【図３】３画面の画面レイアウトを示す模式図である。
【図４】４画面の画面レイアウトを示す模式図である。
【図５】４画面の画面レイアウトを示す模式図である。
【図６】４画面の画面レイアウトを示す模式図である。
【図７】４画面の画面レイアウトを示す模式図である。
【図８】画面数が１から２に遷移する場合における１画面及び２画面の画面レイアウトの類似度を示す値を表す図表である。
【図９】画面数が２から３に遷移する場合における２画面及び３画面の画面レイアウトの類似度を示す値を表す図表である。
【図１０】画面数が３から４に遷移する場合における３画面及び４画面の画面レイアウトの類似度を示す値を表す図表である。
【図１１】画面数が４から３に遷移する場合における３画面及び４画面の画面レイアウトの類似度を示す値を表す図表である。
【図１２】表示部に設定される一の画面に画像を表示した場合に、一の画面が画像を表示する領域の面積計算方法を説明するための説明図である。
【図１３】ブラウザ画面の重畳表示を説明するための説明図である。
【図１４】ブラウザ画面の重畳表示を説明するための説明図である。
【図１５】表示制御部が実行する動作の手順を示すフローチャートである。
【図１６】表示制御部が実行する動作の手順を示すフローチャートである。
【図１７】実施の形態２におけるテレビジョン受信装置の構成を示すブロック図である。
【発明を実施するための形態】
【００３６】
以下、本発明をその実施の形態を示す図面に基づいて詳述する。
（実施の形態１）
図１は、実施の形態１におけるテレビジョン受信装置の構成を示すブロック図である。このテレビジョン受信装置１は、アンテナ５０、画像及び音声を再生する外部機器５１及びネットワーク５２に接続されている。
【００３７】
アンテナ５０はテレビジョン放送の電波を取り込み、取り込んだ電波をテレビジョン受信装置１に出力する。外部機器５１は、例えば、画像及び音声を再生するＨＤＤ(Hard Disk Drive)、ＤＶＤ（Digital Versatile Disc）レコーダ、ＢＤ（Blu-ray Disc：登録商標）レコーダ等の再生装置であり、画像信号及び音声信号を含む画像音声信号をテレビジョン受信装置１に出力する。ネットワーク５２は例えばＬＡＮ（Local Area Network）である。また、リモートコントローラ５３は、使用者から各種指示を受け付け、受け付けた各種指示をテレビジョン受信装置１に赤外線信号で送信する。
【００３８】
テレビジョン受信装置１は、チューナ部１０，１１及び表示装置１２を備えている。チューナ部１０，１１夫々は、アンテナ５０を介してテレビジョン放送を受信し、受信したテレビジョン放送に係る画像音声信号を表示装置１２に出力する。
【００３９】
表示装置１２は、予め記憶してある画面レイアウトに従って後述の矩形状の表示部４５に一又は複数の画面を設定して各画面に画像を表示するように構成してある。表示装置１２は、表示部４５に設定した一又は複数の画面夫々に、チューナ部１０又は１１が受信したテレビジョン放送に係る画像、外部機器５１から受け付けた画像音声信号に係る画像、ネットワーク５２から取得したウェブページに係る画像、又は、テレビジョン受信装置１の取扱説明書の画像等を表示する。
【００４０】
以下では、テレビジョン放送に係る画像を表示する画面をテレビジョン画面とし、外部機器５１から出力される画像音声信号に係る画像を表示する画面をビデオ画面とする。更に、ネットワーク５２から取得したウェブページに係る画像を表示する画面をブラウザ画面とし、予め記憶してある取扱説明書の画像を表示する画面を説明画面とする。
【００４１】
表示装置１２は、リモートコントローラ５３から赤外線信号を受光して、各種指示を受け付ける。表示装置１２は、表示部４５に一又は複数の画面を設定している状態で、リモートコントローラ５３から、画面数を変更する指示、即ち、テレビジョン画面、ビデオ画面、ブラウザ画面又は説明画面の追加指示又は削減指示を受け付ける。
【００４２】
表示装置１２は、ブラウザ画面の追加指示を除く追加指示又は削減指示を受け付けた場合、追加又は削減によって変更した数の画面を表示することが可能な一又は複数の画面レイアウトから、表示部４５で使用している画面レイアウトとの類似度を示す値が所定値以上である画面レイアウトを選定する。ここで、類似度を示す値は類似度が高い程大きい。
【００４３】
表示装置１２は、類似度を示す値が所定値以上の複数の画面レイアウトを選定した場合、表示部４５に設定される一又は複数の画面夫々に表示する画像のアスペクト比を決定する。表示装置１２は、チューナ部１０，１１及び外部機器５１から入力される画像音声信号、ネットワーク５２から取得した画像信号、並びに、予め記憶してある取扱説明書の画像データに含まれる画像情報と、使用者によって設定される後述の画像表示モードとからアスペクト比を決定する。アスペクト比は、矩形状に表示される画像の縦横比であり、横の長さを１とした場合の縦の長さで表される。
【００４４】
表示装置１２は、選定した複数の画面レイアウト夫々について、決定したアスペクト比を用いて、表示部４５の各画面において画像を表示する領域の面積を計算する。以下、画像を表示する領域を画像表示領域と記載する。表示装置１２は、計算した面積を合計することによって、表示部４５における画像表示領域の面積を計算する。表示装置１２は、選定した複数の画面レイアウトの中で、表示部４５における画像表示領域の面積が最も大きい画面レイアウトを選定する。表示装置１２は、選定した画面レイアウトで表示部４５に一又は複数の画面を設定し、設定した一又は複数の画面に画像を表示する。
【００４５】
表示装置１２は、リモートコントローラ５３から赤外線信号を受光して、ブラウザ画面を追加する指示を受け付けた場合、画面レイアウトの選定を停止し、ブラウザ画面を表示部４５に設定してある一又は複数の画面に重畳する。重畳したブラウザ画面全体に画像が表示される。ブラウザ画面にはオブジェクトと、オブジェクトを選択するためのカーソルとが表示される。表示装置１２は、カーソルを所定方向に移動することを指示する移動指示をリモートコントローラ５３から受け付け、受け付けた移動指示に従ってカーソルを移動する。
ここで、移動指示が指示する所定方向は、表示部４５に表示される画面の左方向、右方向、上方向又は下方向であるとする。
【００４６】
表示装置１２は、移動指示を受け付ける都度、重畳しているブラウザ画面の画像表示領域を、カーソルが位置するオブジェクトが表示されるように計算する。表示装置１２は、計算した画像表示領域が、表示部４５においてブラウザ画面が画像を表示することが可能な領域（以下、表示可能領域と記載する。）を超えていない場合、計算した画像表示領域でブラウザ画面に画像を表示する。また、表示装置１２は、計算した画像表示領域が表示可能領域を超えている場合、画像表示領域を表示可能領域内でカーソルが移動した方向に最大限拡大し、拡大した画像表示領域にカーソルが位置しているオブジェクトが示された画像を表示する。
【００４７】
表示装置１２は、リモートコントローラ５３からの指示によって、ブラウザ画面に表示されているオブジェクトの選択を受け付けた場合、重畳しているブラウザ画面を削除して、テレビジョン画面、ビデオ画面又は説明画面の追加と同様にしてブラウザ画面を表示部４５が設定している一又は複数の画面に追加する。このとき、表示装置１２は、追加又は削減によって変更した数の画面を表示することが可能な一又は複数の画面レイアウトから、表示に使用している画面レイアウトとの類似度を示す値、及び、ブラウザ画面の挿入位置に係る値の合計が所定値以上の画面レイアウトを選定する。
【００４８】
実施の形態１においては、ブラウザ画面をテレビジョン画面、ビデオ画面又は説明画面と同様に追加する場合、使用している画面レイアウトから、ブラウザ画面を表示部４５のより右側に挿入した画面レイアウトに遷移した方が画面レイアウトの変化が使用者にとって自然である。このため、ブラウザ画面の挿入位置に係る値は、ブラウザ画面の挿入位置が表示部４５の右側にある画面レイアウト程大きくなるように設定されている。
【００４９】
また、表示装置１２は、リモートコントローラ５３から、重畳しているブラウザ画面を削除する指示を受け付けた場合に、ブラウザ画面を削除する。
【００５０】
表示装置１２は、制御部２０、表示制御部２１、受光部２２、記憶部２３、デコーダ２４，２５、取込部２６，２７，２８、ブラウザ部２９、レンダラ部３０、スケーリング部３１，３２，３３，３４，３５、情報抽出部３６，３７，３８、補正部３９，４０，４１，４２，４３、設定部４４及び表示部４５を有する。
【００５１】
制御部２０は、テレビジョン画面、ブラウザ画面又は説明画面の追加指示又は削減指示を、受光部２２を介してリモートコントローラ５３から受け付ける。制御部２０は、受け付けた追加指示に従って、チューナ部１０又は１１にテレビジョン放送に係る画像信号の受信を、ブラウザ部２９にウェブページに係る画像信号の取得を、又は、レンダラ部３０に取扱説明書の画像データの取得を指示する。また、制御部２０は、取込部２８からビデオ画面の追加指示又は削減指示を受け付ける。
制御部２０は、受光部２２及び取込部２８から受け付けた追加指示又は削減指示を表示制御部２１に通知する。
【００５２】
また、制御部２０は、表示部４５に設定してある一又は複数の画面にブラウザ画面が重畳されている場合、移動指示を受光部２２から受け付け、受け付けた移動指示を表示制御部２１及びブラウザ部２９に出力する。
【００５３】
更に、制御部２０は、受光部２２からブラウザ画面に表示されているオブジェクトの選択の受付を示す通知を受け付け、受け付けた通知を表示制御部２１及びブラウザ部２９に出力する。制御部２０は、表示部４５に設定してある一又は複数の画面に重畳しているブラウザ画面の削除指示を受け付け、受け付けた削除指示を表示制御部２１に出力する。
【００５４】
制御部２０は、更に、テレビジョン画面又はビデオ画面が表示する画像の表示形式を示す画像表示モードを、受光部２２を介してリモートコントローラ５３から受け付ける。画像表示モードとして、ノーマルモード、スマートズームモード、ワイドモード、シネマモード又はフルモード等がある。
【００５５】
ノーマルモードはアスペクト比３／４の画像をそのまま表示するモードである。スマートズームモードは、アスペクト比３／４の画像を自然に拡大して表示するモードである。ワイドモードは、アスペクト比３／４の画像を画面全体で表示するモードである。シネマモードは、アスペクト比９／１６又は他のアスペクト比で表示する映画用の画像を画面全体に表示するモードである。フルモードは、アスペクト比９／１６から３／４に圧縮されている画像をアスペクト比９／１６の画像に戻して画面全体に表示するモードである。
【００５６】
制御部２０は、画像表示モードを受光部２２から受け付けた場合、記憶部２３が記憶している画像表示モードを、受け付けた画像表示モードに書き換える。
【００５７】
表示制御部２１は、ブラウザ画面の追加指示を除く追加指示又は削除指示を受け付けた場合、追加指示又は削減指示に従って変更した数の画面を表示部４５に設定するための画面レイアウトと、使用されている画面レイアウトとの類似度を示す値を記憶部２３から読み出す。表示制御部２１は、読み出した画面レイアウトから、使用している画面レイアウトとの類似度を示す値が所定値以上である画面レイアウトを選定する。更に、表示制御部２１は、複数の画面レイアウトを選定した場合、表示部４５に表示する画像のアスペクト比を決定する。
【００５８】
表示制御部２１は、テレビジョン画面又はビデオ画面が表示する画像のアスペクト比を決定する場合、情報抽出部３６、３７又は３８から、画像フォーマット情報、解像度情報又はアスペクト比情報を受け付ける。ここで、画像フォーマット情報は、４８０ｐ（progressive）又は１０８０ｐ等の画像フォーマットを示す。解像度情報は、解像度、例えば
１０２４×７６８を示す。アスペクト比情報は、チューナ部１０，１１若しくは外部機器５１から出力された画像音声信号に含まれる画像信号によって指定されるアスペクト比を示す。
【００５９】
表示制御部２１は、情報抽出部３６、３７又は３８から受け付けた画像フォーマット情報、解像度情報又はアスペクト比情報に加えて、記憶部２３が記憶している画像表示モードからテレビジョン画面又はビデオ画面に表示する画像のアスペクト比を決定する。
【００６０】
なお、表示制御部２１は、情報抽出部３６、３７又は３８から画像フォーマット情報、解像度情報、アスペクト比情報及び黒領域面積情報を受け付けて、テレビジョン画面又はビデオ画面に表示する画像のアスペクト比を決定する公知のオートワイド機能を有し、オートワイド機能によってアスペクト比を決定してもよい。ここで、黒領域、一の画面において画像を表示しない領域、即ち、画像表示領域以外の領域である領域であり、黒領域面積情報は黒領域の面積を示す情報である。
【００６１】
表示制御部２１は、ブラウザ画面又は説明画面を表示する画像のアスペクト比を決定する場合、ブラウザ部２９又はレンダラ部３０からブラウザ画面又は説明画面に表示する画像の内容を示す内容情報を受け付け、受け付けた内容情報が示す内容に応じてアスペクト比を決定する。
前述した画像音声信号、画像信号及び画像データに含まれる画像情報は、画像フォーマット情報、解像度情報、アスペクト比情報及び内容情報の中の少なくとも１つを含む情報である。
【００６２】
表示制御部２１は、選定した複数の画面レイアウト夫々について、決定したアスペクト比を用いて表示部４５における画像表示領域の面積を計算する。表示制御部２１は、表示部４５に設定する画面レイアウトとして、画像表示領域の面積が最も大きい画面レイアウトに決定する。
【００６３】
表示制御部２１は、選定した画面レイアウトの数が１であった場合、表示部４５に設定する画面レイアウトを、選定した画面レイアウトに決定する。
【００６４】
表示制御部２１は、テレビジョン放送に係る画像、外部機器５１から出力される画像音声信号に係る画像、ネットワーク５２から取得したウェブページに係る画像、又は、取扱説明書の画像データに係る画像の拡大又は縮小を、決定した画面レイアウトに合わせて行うようにスケーリング部３１、３２、３３、３４又は３５に指示する。
【００６５】
また、表示制御部２１は、表示部４５に設定するための画面レイアウトを示す画面レイアウト情報を設定部４４に出力する。表示制御部２１は、設定部４４に指示して表示部４５に画面レイアウト情報が示す画面レイアウトに従って画面を表示部４５に設定させ、各画面に画像を表示させる。
【００６６】
表示制御部２１は、ブラウザ画面の追加指示を制御部２０から受け付けた場合、画面レイアウトの選定を停止し、設定部４４に指示してブラウザ画面を、表示部４５に設定してある一又は複数の画面に重畳する。表示制御部２１は、ブラウザ画面を重畳している状態で制御部２０から移動指示を受け付けた場合、移動指示によって移動したカーソルが位置しているオブジェクトが表示されるようにブラウザ画面の画像表示領域を計算する。
【００６７】
表示制御部２１は、ブラウザ画面の表示可能領域を記憶部２３から読み出す。表示制御部２１は、計算した画像表示領域が表示可能領域を超える場合、ブラウザ画面の画像表示領域を表示可能領域内でカーソルが移動した方向に最大限拡大した後、カーソルが位置しているオブジェクトが示されている画像をブラウザ画面に表示する。また、表示制御部２１は、計算した画像表示領域が表示可能領域内に収まる場合、計算した画像表示領域でカーソルが位置しているオブジェクトが表示された画像を表示する。
【００６８】
表示制御部２１は、ブラウザ画面に表示されているオブジェクトの選択の受付を示す通知を制御部２０から受け付けた場合、重畳しているブラウザ画面を削除する。そして、表示制御部２１は、ブラウザ画面を、テレビジョン画面、ビデオ画面又は説明画面と同様にして、表示部４５に設定している一又は複数の画面に追加する。このとき、表示制御部２１は、追加又は削減によって変更した数の画面を表示することが可能な一又は複数の画面レイアウトから、表示に使用している画面レイアウトとの類似度を示す値、及び、ブラウザ画面の挿入位置に係る値の合計が所定値以上の画面レイアウトを選定する。ブラウザ画面の挿入位置に係る値については、表示制御部２１は記憶部２３から読み出す。
【００６９】
また、表示制御部２１は、表示部４５に設定してある一又は複数の画面に重畳しているブラウザ画面を削除する指示を制御部２０から受け付けた場合、重畳しているブラウザ画面を削除する。
【００７０】
受光部２２は、赤外線信号を受光することによって、リモートコントローラ５３からの指示又は選択を受け付け、受け付けた指示を制御部２０に出力し、選択の受付を制御部２０に通知する。受光部２２が受け付ける指示は、テレビジョン画面、ブラウザ画面又は説明画面の追加指示及び削減指示、移動指示、並びに、表示部４５に設定してある一又は複数の画面に重畳しているブラウザ画面の削除指示である。また、受光部２２が受け付ける選択は、表示部４５において一又は複数の画面に重畳しているブラウザ画面に表示されているオブジェクトの選択である。
【００７１】
記憶部２３は、表示装置１２の取扱説明書の画像データと、画像表示モードと、２画面、３画面及び４画面夫々の画面レイアウトとを記憶している。記憶部２３は、２画面、３画面及び４画面夫々について複数の画面レイアウトを記憶している。記憶部２３は、更に、１画面及び２画面、２画面及び３画面、並びに、３画面及び４画面の画面レイアウトの類似度を示す値と、ブラウザ画面の挿入位置に係る値と、画像表示モードとを記憶している。また、記憶部２３は重畳されるブラウザ画面の表示可能領域も記憶している。記憶部２３が記憶している内容は、制御部２０、表示制御部２１及びレンダラ部３０によって読み出されたり、書き換えられたりする。
【００７２】
デコーダ２４は、チューナ部１０が出力した画像音声信号をデコードし、デコードした画像音声信号を取込部２６に出力する。同様に、デコーダ２５は、チューナ部１１が出力した画像音声信号をデコードし、デコードした画像音声信号を取込部２７に出力する。
【００７３】
取込部２６は、デコーダ２４が出力した画像音声信号から画像信号を取り込み、取り込んだ画像信号をスケーリング部３１及び情報抽出部３６に出力する。同様に、取込部２７は、デコーダ２５が出力した画像音声信号から画像信号を取り込み、取り込んだ画像信号をスケーリング部３２及び情報抽出部３７に出力する。
【００７４】
取込部２８は、外部機器５１が出力した画像音声信号から画像信号を取り込み、取り込んだ画像信号をスケーリング部３３及び情報抽出部３８に出力する。更に、取込部２８は、外部機器５１から画像音声信号を取り込んだ場合、ビデオ画面の追加指示を、外部機器５１からの画像音声信号の入力が停止した場合に、ビデオ画面の削減指示を制御部２０に出力する。
【００７５】
ブラウザ部２９は、制御部２０からウェブページに係る画像信号の取得を指示された場合、ウェブページに係る画像信号をネットワーク５２から取得し、取得した画像信号に係る画像にカーソルを重畳し、重畳した画像に係る画像信号をスケーリング部３４に出力する。また、ブラウザ部２９は、制御部２０から移動指示を受け付けた場合、移動指示に従って所定方向にカーソルを移動した画像に係る画像信号をスケーリング部３４に出力する。
【００７６】
更に、ブラウザ部２９は、カーソルが位置しているオブジェクトの選択の受付を示す通知を制御部２０から受け付けた場合、選択されたオブジェクトが示すウェブページに係る画像信号をネットワーク５２から取得する。ブラウザ部２９は、取得した画像信号に係る画像にカーソルを重畳し、重畳した画像に係る画像信号をスケーリング部３４に出力する。
【００７７】
レンダラ部３０は、取扱説明書の画像データの取得を制御部２０から指示された場合、記憶部２３から取扱説明書の画像データを読み出し、読み出した取扱説明の画像データをスケーリング部３５に出力する。
【００７８】
スケーリング部３１、３２及び３３夫々は、取込部２６、２７及び２８から画像信号を受け付け、表示制御部２１から受け付けた拡大指示又は縮小指示に従って、受け付けた画像信号に係る画像の拡大又は縮小を行う。スケーリング部３１、３２及び３３夫々は、拡大又は縮小を行った画像に係る画像信号を補正部３９、４０及び４１に出力する。
【００７９】
同様に、スケーリング部３４は、ブラウザ部２９から画像信号を受け付け、表示制御部２１から受け付けた拡大指示又は縮小指示に従って、受け付けた画像信号に係る画像の拡大又は縮小を行う。スケーリング部３５は、レンダラ部３０から画像データを受け付け、表示制御部２１から受け付けた拡大指示又は縮小指示に従って、受け付けた画像データに係る画像の拡大又は縮小を行う。スケーリング部３４及び３５夫々は、拡大又は縮小を行った画像に係る画像信号を補正部４２及び４３に出力する。
【００８０】
情報抽出部３６、３７及び３８夫々は、取込部２６、２７及び２８から画像信号を受け付け、受け付けた画像信号から画像フォーマット情報、解像度情報及びアスペクト比情報の中の少なくとも１つを抽出し、抽出した情報を表示制御部２１に出力する。
なお、表示制御部２１がオートワイド機能を有する場合には、情報抽出部３６、３７及び３８夫々は、画像フォーマット情報、解像度情報、アスペクト比情報及び黒領域面積情報を抽出し、抽出した情報を表示制御部２１に出力する。
【００８１】
補正部３９、４０、４１、４２及び４３夫々は、スケーリング部３１、３２、３３、３４及び３５から画像信号を受け付け、受け付けた画像信号に係る画像の画質を補正し、画質を補正した画像に係る画像信号を設定部４４に出力する。
【００８２】
設定部４４は、表示制御部２１から画面レイアウト情報を受け付ける。設定部４４は、表示制御部２１から画面の設定指示を受け付けた場合、受け付けた画面レイアウト情報が示す画面レイアウトに従って、表示部４５に一又は複数の画面を設定し、各画面に補正部３９、４０、４１、４２又は４３から受け付けた画像信号に係る画像を表示する。
表示部４５は、液晶パネル又は有機ＥＬパネル等であり、設定部４４によって一又は複数の画面が設定され、設定された一又は複数の画面に画像を表示する。
【００８３】
図２は２画面の画面レイアウトを示す模式図である。図２には、２種類の画面レイアウトが示され、記憶部２３に記憶されている。図２Ａ及び図２Ｂ夫々には、画面レイアウト２ａ及び２ｂが示されている。表示部４５に設定される一又は複数の画面は矩形状をなす。Ｗ及びＨ夫々は表示部４５の横及び縦の長さであり、画面レイアウト２ａにおける外枠の横及び縦夫々の長さである。同様に、Ｗ及びＨ夫々は、画面レイアウト２ｂと、後述の画面レイアウト３ａ，３ｂ，・・・，３ｆ，４ａ，４ｂ，・・・，４ｖとにおける外枠の横及び縦の長さでもある。
【００８４】
画面レイアウト２ａは、表示部４５の左右に画面を設定する画面レイアウトである。画面レイアウト２ａには、表示制御部２１が画像表示領域の面積を計算するために用いられるパラメータとしてｐが設けられている。画面レイアウト２ａにおいて、ｐは左側に設定される画面の横の長さを示す。
【００８５】
画面レイアウト２ｂは、表示部４５の上下に画面を設定する画面レイアウトである。画面レイアウト２ｂには、画像表示領域の面積計算に用いられるパラメータとしてｑが設けられている。画面レイアウト２ｂにおいて、ｑは上側に設定される画面の縦の長さを示す。
【００８６】
図３は３画面の画面レイアウトを示す模式図である。図３には、６種類の画面レイアウトが示され、記憶部２３に記憶されている。図３Ａ，３Ｂ，・・・，３Ｆ夫々には、画面レイアウト３ａ，３ｂ，・・・，３ｆが示されている。
【００８７】
画面レイアウト３ａは、表示部４５の左、右上及び右下夫々に画面を設定する画面レイアウトである。画面レイアウト３ａには、画像表示領域の面積計算に用いられるパラメータとしてｐ及びｑが設けられている。画面レイアウト３ａにおいて、ｐは左側に設定される画面の横の長さを、ｑは右上に設定される画面の縦の長さを示している。
【００８８】
画面レイアウト３ｂは、表示部４５の左上、右上及び下夫々に画面を設定する画面レイアウトである。画面レイアウト３ｂには、画像表示領域の面積計算に用いられるパラメータとしてｐ及びｑが設けられている。画面レイアウト３ｂにおいて、ｐは左上に設定される画面の横の長さを、ｑは左上及び右上に設定される画面の縦の長さを示している。
【００８９】
画面レイアウト３ｃは、表示部４５の左上、左下及び右に画面を設定する画面レイアウトである。画面レイアウト３ｃには、画像表示領域の面積計算に用いられるパラメータとしてｐ及びｑが設けられている。画面レイアウト３ｃにおいて、ｐ及びｑ夫々は左上に設定される画面の横及び縦の長さである。
【００９０】
画面レイアウト３ｄは、表示部４５の上、左下及び右下に画面を設定する画面レイアウトである。画面レイアウト３ｄには、画像表示領域の面積計算に用いられるパラメータとしてｐ及びｑが設けられている。画面レイアウト３ｄにおいて、ｐは左下に設定される画面の横の長さを、ｑは上側に設定される画面の縦の長さを示している。
【００９１】
画面レイアウト３ｅは、表示部４５の左側、中及び右側に画面を設定する画面レイアウトである。画面レイアウト３ｅには、画像表示領域の面積計算に用いられるパラメータとしてｐ及びｒが設けられている。画面レイアウト３ｅにおいて、ｐは左側に設定される画面の横の長さを、ｒは左側に設定される画面の左辺から中に設定される画面の右辺までの長さを示している。
【００９２】
画面レイアウト３ｆは、表示部４５の上、中及び下に画面を設定する画面レイアウトである。画面レイアウト３ｆには、画像表示領域の面積計算に用いられるパラメータとしてｑ及びｓが設けられている。画面レイアウト３ｆにおいて、ｑは上側に設定される画面の縦の長さを、ｓは上側に設定される画面の上辺から中に設定される画面の下辺の長さを示す。
【００９３】
図４、図５、図６及び図７は４画面の画面レイアウトを示す模式図である。図４、図５、図６及び図７には、２２種類の画面レイアウトが示され、記憶部２３に記憶されている。図４Ａ，図４Ｂ，・・・，図４Ｆ、図５Ａ，図５Ｂ，・・・，図５Ｆ、図６Ａ，図６Ｂ，・・・，図６Ｆ、図７Ａ，図７Ｂ，・・・，図７Ｄ夫々には、画面レイアウト４ａ，４ｂ，・・・，４ｖが示されている。
【００９４】
画面レイアウト４ａは、表示部４５の左上、右上、左下及び右下夫々に画面を設定する画面レイアウトである。画面レイアウト４ａには、画像表示領域の面積計算に用いられるパラメータとしてｐ、ｑ及びｒが設けられている。画面レイアウト４ａにおいて、ｐは左下に設定される画面の横の長さを、ｑ及びｒ夫々は左上に設定される画面の縦及び横の長さを示している。
【００９５】
画面レイアウト４ｂは、画面レイアウト４ａと同様に、表示部４５の左上、右上、左下及び右下夫々に画面を設定する画面レイアウトである。画面レイアウト４ｂは、画像表示領域の面積計算に用いられるパラメータを設ける箇所が画面レイアウト４ａと異なっており、パラメータｐ、ｑ及びｓが設けられている。画面レイアウト４ｂにおいて、ｐ及びｑは左上に設定される画面の横及び縦の長さを、ｓは右上に設定される画面の縦の長さを示している。
【００９６】
画面レイアウト４ｃは、表示部４５の左、中、右上及び右下夫々に画面を設定する画面レイアウトである。画面レイアウト４ｃには、画像表示領域の面積計算に用いられるパラメータとしてｐ、ｑ及びｒが設けられている。画面レイアウト４ｃにおいて、ｐは左側に設けられる画面の横の長さを、ｑは右上に設けられる画面の縦の長さを、ｒは左側に設けられる画面の左辺から中に設けられる画面の右辺までの長さを示している。
【００９７】
画面レイアウト４ｄは、表示部４５の左、上中、右上及び右下夫々に画面を設定する画面レイアウトである。画面レイアウト４ｄには、画像表示領域の面積計算に用いられるパラメータとしてｐ、ｑ及びｒが設けられている。画面レイアウト４ｄにおいて、ｐは左側に設定される画面の横の長さを、ｑは右上に設定される画面の縦の長さを、ｒは左側に儲かれる画面の左辺から上中に設けられる画面の右辺までの長さを示している。
【００９８】
画面レイアウト４ｅは、表示部４５の左、上中、下中及び右夫々に画面を設定する画面レイアウトである。画面レイアウト４ｅには、画像表示領域の面積計算に用いられるパラメータとしてｐ、ｑ及びｒが設けられている。画面レイアウト４ｅにおいて、ｐは左側に設定される画面の横の長さを、ｑは上中に設定される画面の縦の長さを、ｒは左側に設定される画面の左辺から右側に設定される画面の左辺までの長さを示している。
【００９９】
画面レイアウト４ｆは、表示部４５の左、右上、下中及び右下夫々に画面を設定する画面レイアウトである。画面レイアウト４ｆには、画像表示領域の面積計算に用いられるパラメータとしてｐ、ｑ及びｒが設けられている。画面レイアウト４ｆにおいて、ｐは左側に設定される画面の横の長さを、ｑは右上に設定される画面の縦の長さを、ｒは左側に設定される画面の左辺から下中に設定される画面の右辺までの長さを示している。
【０１００】
画面レイアウト４ｇは、表示部４５の左、右上、右中及び右下夫々に画面を設定する画面レイアウトである。画面レイアウト４ｇには、画像表示領域の面積計算に用いられるパラメータとしてｐ、ｑ及びｓが設けられている。画面レイアウト４ｇにおいて、ｐは左側に設定される画面の横の長さを、ｑは右上に設定される画面の縦の長さを、ｓは右上に設定される画面の上辺から右中に設定される画面の下辺までの長さを示している。
【０１０１】
画面レイアウト４ｈは、表示部４５の上、左下、右中及び右下夫々に画面を設定する画面レイアウトである。画面レイアウト４ｈには、画像表示領域の面積計算に用いられるパラメータとしてｐ、ｑ及びｓが設けられている。画面レイアウト４ｈにおいて、ｐは左下に設定される画面の横の長さを、ｑは上側に設定される画面の縦の長さを、ｓは上側に設定される画面の上辺から右中に設定される画面の下辺までの長さを示している。
【０１０２】
画面レイアウト４ｉは、表示部４５の上、左中、右中及び下夫々に画面を設定する画面レイアウトである。画面レイアウト４ｉには、画像表示領域の面積計算に用いられるパラメータとしてｐ、ｑ及びｓが設けられている。画面レイアウト４ｉにおいて、ｐは左中に設定される画面の横の長さを、ｑは上側に設定される画面の縦の長さを、ｓは上側に設定される画面の上辺から下側に設定される画面の上辺までの長さを示している。
【０１０３】
画面レイアウト４ｊは、表示部４５の上、左中、左下及び右下夫々に画面を設定する画面レイアウトである。画面レイアウト４ｊには、画像表示領域の面積計算に用いられるパラメータとしてｐ、ｑ及びｓが設けられている。画面レイアウト４ｊにおいて、ｐは左中及び左下に設定される画面の横の長さを、ｑは上側に設定される画面の縦の長さを、ｓは上側に設定される画面の上辺から左中に設定される画面の下辺までの長さを示している。
【０１０４】
画面レイアウト４ｋは、表示部４５の上、中、左下及び右下夫々に画面を設定する画面レイアウトである。画面レイアウト４ｋには、画像表示領域の面積計算に用いられるパラメータとしてｐ、ｑ及びｓが設けられている。画面レイアウト４ｋにおいて、ｐは左下に設定される画面の横の長さを、ｑは上側に設定される画面の縦の長さを、ｓは上側に設定される画面の上辺から中に設定される画面の下辺までの長さを示している。
【０１０５】
画面レイアウト４ｌは、表示部４５の上、左下、下中及び右下夫々に画面を設定する画面レイアウトである。画面レイアウト４ｌには、画像表示領域の面積計算に用いられるパラメータとしてｐ、ｑ及びｒが設けられている。画面レイアウト４ｌにおいて、ｐは左下に設定される画面の横の長さを、ｑは上側に設定される画面の縦の長さを、ｒは左下に設定される画面の左辺から下中に設定される画面の右辺までの長さを示している。
【０１０６】
画面レイアウト４ｍは、表示部４５の左上、上中、左下及び右夫々に画面を設定する画面レイアウトである。画面レイアウト４ｍには、画像表示領域の面積計算に用いられるパラメータとしてｐ、ｑ及びｒが設定されている。画面レイアウト４ｍにおいて、ｐ及びｑ夫々は左上に設定される画面の横及び縦の長さを、ｒは左下の画面に設定される画面の横の長さを示している。
【０１０７】
画面レイアウト４ｎは、表示部４５の左上、左下、中及び右夫々に画面を設定する画面レイアウトである。画面レイアウト４ｎには、画像表示領域の面積計算に用いられるパラメータとしてｐ、ｑ及びｒが設定されている。画面レイアウト４ｎにおいて、ｐは左上及び左下に設定される画面の横の長さを、ｑは左上に設定される画面の縦の長さを、ｒは左上に設定される画面の左辺から中に設定される画面の右辺までの長さを示している。
【０１０８】
画面レイアウト４ｏは、表示部４５の左上、左下、下中及び右夫々に画面を設定する画面レイアウトである。画面レイアウト４ｏには、画像表示領域の面積計算に用いられるパラメータとしてｐ、ｑ及びｒが設けられている。画面レイアウト４ｏにおいて、ｐは左下に設定される画面の横の長さを、ｑ及びｒ夫々は左上に設定される画面の縦及び横の長さを示している。
【０１０９】
画面レイアウト４ｐは、表示部４５の左上、左中、左下及び右夫々に画面を設定する画面レイアウトである。画面レイアウト４ｐには、画像表示領域の面積計算に用いられるパラメータとしてｐ、ｑ及びｓが設けられている。画面レイアウト４ｐにおいて、ｐは左上、左中及び左下に設定される画面の横の長さを、ｑは左上に設定される画面の縦の長さを、ｓは左上に設定される画面の上辺から左中に設定される画面の下辺までの長さを示している。
【０１１０】
画面レイアウト４ｑは、表示部４５の左上、右上、右中及び下夫々に画面を設定する画面レイアウトである。画面レイアウト４ｑには、画像表示領域の面積計算に用いられるパラメータとしてｐ、ｑ及びｓが設けられている。画面レイアウト４ｑにおいて、ｐ及びｓ夫々は左上に設定される画面の横及び縦の長さを、ｑは右上に設定される画面の縦の長さを示している。
【０１１１】
画面レイアウト４ｒは、表示部４５の左上、右上、中及び下夫々に画面を設定する画面レイアウトである。画面レイアウト４ｒには、画像表示領域の面積計算に用いられるパラメータとしてｐ、ｑ及びｓが設けられている。画面レイアウト４ｒにおいて、ｐ及びｑ夫々は左上に設定される画面の横及び縦の長さを、ｓは左上及び右上に設定される画面の上辺から中に設定される画面の下辺までの長さを示している。
【０１１２】
画面レイアウト４ｓは、表示部４５の左上、左中、右上及び下夫々に画面を設定する画面レイアウトである。画面レイアウト４ｓには、画像表示領域の面積計算に用いられるパラメータとしてｐ、ｑ及びｓが設けられている。画面レイアウト４ｓにおいて、ｐ及びｑ夫々は左上に設定される画面の横及び縦の長さを、ｓは右上に設定される画面の縦の長さを示している。
【０１１３】
画面レイアウト４ｔは、表示部４５の左上、上中、右上及び下夫々に画面を設定する画面レイアウトである。画面レイアウト４ｔには、画像表示領域の面積計算に用いられるパラメータとしてｐ、ｑ及びｒが設けられている。画面レイアウト４ｔにおいて、ｐ及びｑ夫々は左上に設定される画面の横及び縦の長さを、ｒは左上に設定される画面の左辺から上中に設定される画面の右辺までの長さを示している。
【０１１４】
画面レイアウト４ｕは、表示部４５において４画面を横方向に並置する画面レイアウトである。画面レイアウト４ｕには、画像表示領域の面積計算に用いられるパラメータとしてｐ、ｒ及びｔが設けられている。画面レイアウト４ｕにおいて、ｐ、ｒ及びｔは、左から１番目に設定される画面の左辺を基準として、左から１、２及び３番目夫々に設定される画面の右辺までの長さを示している。
【０１１５】
画面レイアウト４ｖは、表示部４５において４画面の縦方向に並置する画面レイアウトである。画面レイアウト４ｖには、画像表示領域の面積計算に用いられるパラメータとしてｑ、ｓ及びｕが設けられている。画面レイアウト４ｖにおいて、ｑ、ｓ及びｕは、上から１番目に設定される画面の上辺を基準として、上から１、２及び３番目夫々に設定される画面の下辺までの長さを示している。
【０１１６】
図８は、画面数が１から２に遷移する場合における１画面及び２画面の画面レイアウトの類似度を示す値を表す図表である。図８には、１画面の画面レイアウトと、２画面の各画面レイアウトとの類似度を示す値が表されており、記憶部２３に記憶されている。類似度が高いほど類似度が示す値が大きい。また、１画面の画面レイアウトは、１種類であり、表示部４５全体に１画面を設定する基本の画面レイアウトである。括弧内には画面の挿入位置が示されている。
【０１１７】
例えば、１画面の基本の画面レイアウトに１画面を追加して２画面の画面レイアウト２ａに遷移する場合、類似度を示す値は６であり、表示部４５の右側に画面が追加される。
【０１１８】
記憶部２３が記憶しているブラウザ画面の挿入位置に係る値は、画面レイアウト２ａ，２ｂ，３ａ，３ｂ，・・・，３ｆ，４ａ，４ｂ，・・・，４ｖ夫々について、挿入位置が右である場合に５であり、挿入位置が右上である場合に４であり、挿入位置が右中又は右下である場合に２である。挿入位置が右、右上、右中又は右下に位置していない場合については、ブラウザ画面の挿入位置に係る値はゼロである。
【０１１９】
テレビジョン画面、ビデオ画面又は説明画面と同様にして、ブラウザ画面を追加して、１画面の基本の画面レイアウトから２画面の画面レイアウト２ａに遷移する場合、ブラウザ画面は右側に挿入されるため、ブラウザ画面の挿入位置に係る値は５となる。この場合、類似度を示す値、及び、ブラウザ画面の挿入位置に係る値の合計は１１となる。
【０１２０】
図９は、画面数が２から３に遷移する場合における２画面及び３画面の画面レイアウトの類似度を示す値を表す図表である。図９には、２画面の各画面レイアウトと、３画面の各画面レイアウトとの類似度を示す値が表されており、記憶部２３に記憶されている。
【０１２１】
図１０は、画面数が３から４に遷移する場合における３画面及び４画面の画面レイアウトの類似度を示す値を表す図表である。図１０Ａには、３画面の画面レイアウト３ａ，３ｂ，・・・，３ｆと、４画面の画面レイアウト４ａ，４ｂ，・・・，４ｋとの類似度を示す値が表されている。図１０Ｂには、３画面の画面レイアウト３ａ，３ｂ，・・・，３ｆと、４画面の画面レイアウト４ｌ，４ｍ，・・・，４ｖとの類似度を示す値が表されている。また、括弧内には画面の挿入位置が示されている。
【０１２２】
図１１は、画面数が４から３に遷移する場合における３画面及び４画面の画面レイアウトの類似度を示す値を表す図表である。図１１には、４画面の画面レイアウトについて、使用中の画面レイアウトと、使用中の画面レイアウトで設定されている４画面から削除する画面の位置とが示されている。図１１には、使用中の４画面の画面レイアウトと３画面の画面レイアウトとの類似度を示す値が、削除画面の位置毎に示されている。
【０１２３】
例えば、４画面の画面レイアウト４ａで表示部４５に設定されている４画面から表示部４５の左上の画面を削除する場合、画面レイアウト４ａと３画面の画面レイアウト３ａとの類似度を示す値は７である。
【０１２４】
記憶部２３は、４画面の画面レイアウト４ａについてだけではなく、他の４画面の画面レイアウト４ｂ，４ｃ，・・・，４ｖについての類似度を示す値も記憶している。
【０１２５】
なお、記憶部２３には、使用している画面レイアウトと、画面レイアウトに従って表示部４５に設定している一又は複数の画面夫々がテレビジョン画面、ビデオ画面、ブラウザ画面及び説明画面の中のいずれであるかとを記憶している。従って、表示制御部２１は、テレビジョン画面、ビデオ画面、ブラウザ画面又は説明画面の削減指示を制御部２０から受け付けた場合、使用している画面レイアウトの中で削除される画面の位置を記憶部２３から検知することができる。
【０１２６】
更には、記憶部２３は、画面数が３から２に遷移する場合における２画面及び３画面の画面レイアウトの類似度を示す値と、画面数が２から１に遷移する場合における１画面及び２画面の画面レイアウトの類似度を示す値とも記憶している。
【０１２７】
図１２は、表示部４５に設定される一の画面に画像を表示した場合に、一の画面が画像を表示する領域の面積計算方法を説明するための説明図である。図１２Ａ及び図１２Ｂでは、外枠は表示部４５に設定される一の画面の枠を示し、ハッチング部分は、画像が表示される領域、即ち、画像表示領域を示している。ここで、表示部４５に設定される一の画面における横及び縦夫々の長さをｗ及びｈとし、該一の画面で表示する画像のアスペクト比をａとしている。
【０１２８】
（ｗ，ｈ，ａ）がｗ×ａ≦ｈを満たす場合、図１２Ａに示すように画像表示領域が決定され、画像表示領域の縦の長さが画面の縦の長さよりも短くなっている。ｗ×ａ≦ｈを満たす場合の画像表示領域の面積Ｓ（ｗ，ｈ，ａ）は次のように表される。
Ｓ（ｗ，ｈ，ａ）＝ａ×ｗ2 
ただし、ａ＝ｈ／ｗである場合、画像表示領域の形状及び面積は、画面の形状及び面積と一致する。
【０１２９】
（ｗ，ｈ，ａ）がｗ×ａ＞ｈを満たす場合、図１２Ｂに示すように画像表示領域が決定され、画像表示領域の横の長さが画面の横の長さよりも短くなっている。ｗ×ａ＞ｈを満たす場合、画像表示領域の面積Ｓ（ｗ，ｈ，ａ）は次のように表される。
Ｓ（ｗ，ｈ，ａ）＝ｈ2 ／ａ
【０１３０】
画像表示領域の面積Ｓ（ｗ，ｈ，ａ）を用いて、画面レイアウト２ａ，２ｂ，３ａ，３ｂ，・・・，３ｆ，４ａ，４ｂ，・・・，４ｖ夫々について、表示部４５の画像表示領域の面積Ａは、前述したパラメータｐ、ｑ、ｒ、ｓ、ｔ、及びｕ（図２から図７参照）の少なくとも１つを用いた関数として表される。
【０１３１】
画面レイアウト２ａに従って表示部４５に２画面が設定された場合における表示部４５の画像表示領域の面積Ａ（ｐ）は下記のように表される。
Ａ（ｐ）＝Ｓ（ｐ，Ｈ，ａ１）＋Ｓ（Ｗ−ｐ，Ｈ，ａ２）
ａ１及びａ２夫々は、画面レイアウト２ａについて左側及び右側の画面に表示する画像のアスペクト比である。
【０１３２】
画面レイアウト２ｂに従って表示部４５に２画面が設定された場合における表示部４５の画像表示領域の面積Ａ（ｑ）は下記のように表される。
Ａ（ｑ）＝Ｓ（Ｗ，ｑ，ａ３）＋Ｓ（Ｗ，Ｈ−ｑ，ａ４）
ここで、ａ３及びａ４夫々は、画面レイアウト２ｂについて上側及び下側の画面に表示する画面のアスペクト比である。
【０１３３】
画面レイアウト３ａに従って表示部４５に３画面が設定された場合における表示部４５の画像表示領域の面積Ａ（ｐ，ｑ）は下記のように表される。
Ａ（ｐ，ｑ）＝Ｓ（ｐ，Ｈ，ａ５）＋Ｓ（Ｗ−ｐ，ｑ，ａ６）＋Ｓ（Ｗ−ｐ，Ｈ−ｑ，ａ７）
ここで、ａ５、ａ６及びａ７夫々は、画面レイアウト３ａについて左、右上及び右下の画面に表示する画像のアスペクト比である。
【０１３４】
画面レイアウト３ｂに従って表示部４５に３画面が設定された場合における表示部４５の画像表示領域の面積Ａ（ｐ，ｑ）は下記のように表される。
Ａ（ｐ，ｑ）＝Ｓ（ｐ，ｑ，ａ８）＋Ｓ（Ｗ−ｐ，ｑ，ａ９）＋Ｓ（Ｗ，Ｈ−ｑ，ａ１０）
ここで、ａ８、ａ９及びａ１０夫々は、画面レイアウト３ｂについて左上、右上及び下の画面に表示する画像のアスペクト比である。
【０１３５】
画面レイアウト３ｃに従って表示部４５に３画面が設定された場合における表示部４５の画像表示領域の面積Ａ（ｐ，ｑ）は下記のように表される。
Ａ（ｐ，ｑ）＝Ｓ（ｐ，ｑ，ａ１１）＋Ｓ（ｐ，Ｈ−ｑ，ａ１２）＋Ｓ（Ｗ−ｐ，Ｈ，ａ１３）
ここで、ａ１１、ａ１２及びａ１３夫々は、画面レイアウト３ｃについて左上、左下及び右の画面に表示する画面のアスペクト比である。
【０１３６】
画面レイアウト３ｄに従って表示部４５に３画面が設定された場合における表示部４５の画像表示領域の面積Ａ（ｐ，ｑ）は下記のように表される。
Ａ（ｐ，ｑ）＝Ｓ（Ｗ，ｑ，ａ１４）＋Ｓ（ｐ，Ｈ−ｑ，ａ１５）＋Ｓ（Ｗ−ｐ，Ｈ−ｑ，ａ１６）
ここで、ａ１４、ａ１５及びａ１６夫々は、画面レイアウト３ｄについて、上、左下及び右下の画面に表示する画像のアスペクト比である。
【０１３７】
画面レイアウト３ｅに従って表示部４５に３画面が設定された場合における表示部４５の画像表示領域の面積Ａ（ｐ，ｒ）は下記のように表される。
Ａ（ｐ，ｒ）＝Ｓ（ｐ，Ｈ，ａ１７）＋Ｓ（ｒ−ｐ，Ｈ，ａ１８）＋Ｓ（Ｗ−ｒ，Ｈ，ａ１９）
ここで、ａ１７、ａ１８及びａ１９夫々は、画面レイアウト３ｅについて、左、中及び右の画面に表示する画像のアスペクト比である。
【０１３８】
画面レイアウト３ｆに従って表示部４５に３画面が設定された場合における表示部４５の画像表示領域の面積Ａ（ｑ，ｓ）は下記のように表される。
Ａ（ｑ，ｓ）＝Ｓ（Ｗ，ｑ，ａ２０）＋Ｓ（Ｗ，ｓ−ｑ，ａ２１）＋Ｓ（Ｗ，Ｈ−ｓ，ａ２２）
ここで、ａ２０、ａ２１及びａ２２夫々は、画面レイアウト３ｆについて上、中及び下の画面に表示する画像のアスペクト比である。
【０１３９】
画面レイアウト４ａに従って表示部４５に４画面が設定された場合における表示部４５の画像表示領域の面積Ａ（ｐ，ｑ，ｒ）は下記のように表される。
Ａ（ｐ，ｑ，ｒ）＝Ｓ（ｒ，ｑ，ａ２３）＋Ｓ（Ｗ−ｒ，ｑ，ａ２４）＋Ｓ（ｐ，Ｈ−ｑ，ａ２５）＋Ｓ（Ｗ−ｐ，Ｈ−ｑ，ａ２６）
ここで、ａ２３、ａ２４、ａ２５及びａ２６夫々は、画面レイアウト４ａについて左上、右上、左下及び右下の画面に表示される画像のアスペクト比である。
【０１４０】
画面レイアウト４ｂに従って表示部４５に４画面が設定された場合における表示部４５の画像表示領域の面積Ａ（ｐ，ｑ，ｓ）は下記のように表される。
Ａ（ｐ，ｑ，ｓ）＝Ｓ（ｐ，ｑ，ａ２７）＋Ｓ（Ｗ−ｐ，ｓ，ａ２８）＋Ｓ（ｐ，Ｈ−ｑ，ａ２９）＋Ｓ（Ｗ−ｐ，Ｈ−ｓ，ａ３０）
ここで、ａ２７、ａ２８、ａ２９及びａ３０夫々は、画面レイアウト４ｂについて左上、右上、左下及び右下の画面に表示される画像のアスペクト比である。
【０１４１】
画面レイアウト４ｃに従って表示部４５に４画面が設定された場合における表示部４５の画像表示領域の面積Ａ（ｐ，ｑ，ｒ）は下記のように表される。
Ａ（ｐ，ｑ，ｒ）＝Ｓ（ｐ，Ｈ，ａ３１）＋Ｓ（ｒ−ｐ，Ｈ，ａ３２）＋Ｓ（Ｗ−ｒ，ｑ，ａ３３）＋Ｓ（Ｗ−ｒ，Ｈ−ｑ，ａ３４）
ここで、ａ３１、ａ３２、ａ３３及びａ３４夫々は、画面レイアウト４ｃについて左、中、右上及び右下の画面に表示される画像のアスペクト比である。
【０１４２】
画面レイアウト４ｄに従って表示部４５に４画面が設定された場合における表示部４５の画像表示領域の面積Ａ（ｐ，ｑ，ｒ）は下記のように表される。
Ａ（ｐ，ｑ，ｒ）＝Ｓ（ｐ，Ｈ，ａ３５）＋Ｓ（ｒ−ｐ，ｑ，ａ３６）＋Ｓ（Ｗ−ｒ，ｑ，ａ３７）＋Ｓ（Ｗ−ｐ，Ｈ−ｑ，ａ３８）
ここで、ａ３５、ａ３６、ａ３７及びａ３８夫々は、画面レイアウト４ｄについて左、上中、右上及び右下の画面に表示される画像のアスペクト比である。
【０１４３】
画面レイアウト４ｅに従って表示部４５に４画面が設定された場合における表示部４５の画像表示領域の面積Ａ（ｐ，ｑ，ｒ）は下記のように表される。
Ａ（ｐ，ｑ，ｒ）＝Ｓ（ｐ，Ｈ，ａ３９）＋Ｓ（ｒ−ｐ，ｑ，ａ４０）＋Ｓ（ｒ−ｐ，Ｈ−ｑ，ａ４１）＋Ｓ（Ｗ−ｒ，Ｈ，ａ４２）
ここで、ａ３９、ａ４０、ａ４１及びａ４２夫々は、画面レイアウト４ｅについて左、上中、下中及び右の画面に表示される画像のアスペクト比である。
【０１４４】
画面レイアウト４ｆに従って表示部４５に４画面が設定された場合における表示部４５の画像表示領域の面積Ａ（ｐ，ｑ，ｒ）は下記のように表される。
Ａ（ｐ，ｑ，ｒ）＝Ｓ（ｐ，Ｈ，ａ４３）＋Ｓ（Ｗ−ｐ，ｑ，ａ４４）＋Ｓ（ｒ−ｐ，Ｈ−ｑ，ａ４５）＋Ｓ（Ｗ−ｒ，Ｈ−ｑ，ａ４６）
ここで、ａ４３、ａ４４、ａ４５及びａ４６夫々は、画面レイアウト４ｆについて左、右上、下中及び右下の画面に表示される画像のアスペクト比である。
【０１４５】
画面レイアウト４ｇに従って表示部４５に４画面が設定された場合における表示部４５の画像表示領域の面積Ａ（ｐ，ｑ，ｓ）は下記のように表される。
Ａ（ｐ，ｑ，ｓ）＝Ｓ（ｐ，Ｈ，ａ４７）＋Ｓ（Ｗ−ｐ，ｑ，ａ４８）＋Ｓ（Ｗ−ｐ，ｓ−ｑ，ａ４９）＋Ｓ（Ｗ−ｐ，Ｈ−ｓ，ａ５０）
ここで、ａ４７、ａ４８、ａ４９及びａ５０夫々は、画面レイアウト４ｇについて左、右上、右中及び右下の画面に表示される画像のアスペクト比である。
【０１４６】
画面レイアウト４ｈに従って表示部４５に４画面が設定された場合における表示部４５の画像表示領域の面積Ａ（ｐ，ｑ，ｓ）は下記のように表される。
Ａ（ｐ，ｑ，ｓ）＝Ｓ（Ｗ，ｑ，ａ５１）＋Ｓ（ｐ，Ｈ−ｑ，ａ５２）＋Ｓ（Ｗ−ｐ，ｓ−ｑ，ａ５３）＋Ｓ（Ｗ−ｐ，Ｈ−ｓ，ａ５４）
ここで、ａ５１、ａ５２、ａ５３及びａ５４夫々は、画面レイアウト４ｈについて上、左下、右中及び右下の画面に表示される画像のアスペクト比である。
【０１４７】
画面レイアウト４ｉに従って表示部４５に４画面が設定された場合における表示部４５の画像表示領域の面積Ａ（ｐ，ｑ，ｓ）は下記のように表される。
Ａ（ｐ，q，s）＝Ｓ（Ｗ，ｑ，ａ５５）＋Ｓ（ｐ，ｓ−ｑ，ａ５６）＋Ｓ（Ｗ−ｐ，ｓ−ｑ，ａ５７）＋Ｓ（Ｗ，Ｈ−ｓ，ａ５８）
ここで、ａ５５、ａ５６、ａ５７及びａ５８夫々は、画面レイアウト４ｉについて上、左中、右中及び下の画面に表示される画像のアスペクト比である。
【０１４８】
画面レイアウト４ｊに従って表示部４５に４画面が設定された場合における表示部４５の画像表示領域の面積Ａ（ｐ，ｑ，ｓ）は下記のように表される。
Ａ（ｐ，ｑ，ｓ）＝Ｓ（Ｗ，ｑ，ａ５９）＋Ｓ（ｐ，ｓ−ｑ，ａ６０）＋Ｓ（ｐ，Ｈ−ｓ，ａ６１）＋Ｓ（Ｗ−ｐ，Ｈ−ｑ，ａ６２）
ここで、ａ５９、ａ６０、ａ６１及びａ６２夫々は、画面レイアウト４ｊについて上、左中、左下及び右下の画面に表示される画像のアスペクト比である。
【０１４９】
画面レイアウト４ｋに従って表示部４５に４画面が設定された場合における表示部４５の画像表示領域の面積Ａ（ｐ，ｑ，ｓ）は下記のように表される。
Ａ（ｐ，ｑ，ｓ）＝Ｓ（Ｗ，ｑ，ａ６３）＋Ｓ（Ｗ，ｓ−ｑ，ａ６４）＋Ｓ（ｐ，Ｈ−ｓ，ａ６５）＋Ｓ（Ｗ−ｐ，Ｈ−ｓ，ａ６６）
ここで、ａ６３、ａ６４、ａ６５及びａ６６夫々は、画面レイアウト４ｋについて上、中、左下及び右下の画面に表示される画像のアスペクト比である。
【０１５０】
画面レイアウト４ｌに従って表示部４５に４画面が設定された場合における表示部４５の画像表示領域の面積Ａ（ｐ，ｑ，ｒ）は下記のように表される。
Ａ（ｐ，ｑ，ｒ）＝Ｓ（Ｗ，ｑ，ａ６７）＋Ｓ（ｐ，Ｈ−ｑ，ａ６８）＋Ｓ（ｒ−ｐ，Ｈ−ｑ，ａ６９）＋Ｓ（Ｗ−ｒ，Ｈ−ｑ，ａ７０）
ここで、ａ６７、ａ６８、ａ６９及びａ７０夫々は、画面レイアウト４ｌについて上、左下、下中及び右下の画面に表示される画像のアスペクト比である。
【０１５１】
画面レイアウト４ｍに従って表示部４５に４画面が設定された場合における表示部４５の画像表示領域の面積Ａ（ｐ，ｑ，ｒ）は下記のように表される。
Ａ（ｐ，ｑ，ｒ）＝Ｓ（ｐ，ｑ，ａ７１）＋Ｓ（ｒ−ｐ，ｑ，ａ７２）＋Ｓ（ｒ，Ｈ−ｑ，ａ７３）＋Ｓ（Ｗ−ｒ，Ｈ，ａ７４）
ここで、ａ７１、ａ７２、ａ７３及びａ７４夫々は、画面レイアウト４ｍについて左上、上中、左下及び右の画面に表示される画像のアスペクト比である。
【０１５２】
画面レイアウト４ｎに従って表示部４５に４画面が設定された場合における表示部４５の画像表示領域の面積Ａ（ｐ，ｑ，ｒ）は下記のように表される。
Ａ（ｐ，ｑ，ｒ）＝Ｓ（ｐ，ｑ，ａ７５）＋Ｓ（ｐ，Ｈ−ｑ，ａ７６）＋Ｓ（ｒ−ｐ，Ｈ，ａ７７）＋Ｓ（Ｗ−ｒ，Ｈ，ａ７８）
ここで、ａ７５、ａ７６、ａ７７及びａ７８夫々は、画面レイアウト４ｎについて左上、左下、中及び右の画面に表示される画像のアスペクト比である。
【０１５３】
画面レイアウト４ｏに従って表示部４５に４画面が設定された場合における表示部４５の画像表示領域の面積Ａ（ｐ，ｑ，ｒ）は下記のように表される。
Ａ（ｐ，ｑ，ｒ）＝Ｓ（ｒ，ｑ，ａ７９）＋Ｓ（ｐ，Ｈ−ｑ，ａ８０）＋Ｓ（ｒ−ｐ，Ｈ−ｑ，ａ８１）＋Ｓ（Ｗ−ｒ，Ｈ，ａ８２）
ここで、ａ７９、ａ８０、ａ８１及びａ８２夫々は、画面レイアウト４ｏについて左上、左下、下中及び右の画面に表示される画像のアスペクト比である。
【０１５４】
画面レイアウト４ｐに従って表示部４５に４画面が設定された場合における表示部４５の画像表示領域の面積Ａ（ｐ，ｑ，ｓ）は下記のように表される。
Ａ（ｐ，ｑ，ｓ）＝Ｓ（ｐ，ｑ，ａ８３）＋Ｓ（ｐ，ｓ−ｑ，ａ８４）＋Ｓ（ｐ，Ｈ−ｓ，ａ８５）＋Ｓ（Ｗ−ｐ，Ｈ，ａ８６）
ここで、ａ８３、ａ８４、ａ８５及びａ８６夫々は、画面レイアウト４ｐについて左上、左中、左下及び右の画面に表示される画像のアスペクト比である。
【０１５５】
画面レイアウト４ｑに従って表示部４５に４画面が設定された場合における表示部４５の画像表示領域の面積Ａ（ｐ，ｑ，ｓ）は下記のように表される。
Ａ（ｐ，ｑ，ｓ）＝Ｓ（ｐ，ｓ，ａ８７）＋Ｓ（Ｗ−ｐ，ｑ，ａ８８）＋Ｓ（Ｗ−ｐ，ｓ−ｑ，ａ８９）＋Ｓ（Ｗ，Ｈ−ｓ，ａ９０）
ここで、ａ８７、ａ８８、ａ８９及びａ９０夫々は、画面レイアウト４ｑについて左上、右上、右中及び下の画面に表示される画像のアスペクト比である。
【０１５６】
画面レイアウト４ｒに従って表示部４５に４画面が設定された場合における表示部４５の画像表示領域の面積Ａ（ｐ，ｑ，ｓ）は下記のように表される。
Ａ（ｐ，ｑ，ｓ）＝Ｓ（ｐ，ｑ，ａ９１）＋Ｓ（Ｗ−ｐ，ｑ，ａ９２）＋Ｓ（Ｗ，ｓ−ｑ，ａ９３）＋Ｓ（Ｗ，Ｈ−ｓ，ａ９４）
ここで、ａ９１、ａ９２、ａ９３及びａ９４夫々は、画面レイアウト４ｒについて左上、右上、中及び下の画面に表示される画像のアスペクト比である。
【０１５７】
画面レイアウト４ｓに従って表示部４５に４画面が設定された場合における表示部４５の画像表示領域の面積Ａ（ｐ，ｑ，ｓ）は下記のように表される。
Ａ（ｐ，ｑ，ｓ）＝Ｓ（ｐ，ｑ，ａ９５）＋Ｓ（ｐ，ｓ−ｑ，ａ９６）＋Ｓ（Ｗ−ｐ，ｓ，ａ９７）＋Ｓ（Ｗ，Ｈ−ｓ，ａ９８）
ここで、ａ９５、ａ９６、ａ９７及びａ９８夫々は、画面レイアウト４ｓについて左上、左中、右上及び下の画面に表示される画像のアスペクト比である。
【０１５８】
画面レイアウト４ｔに従って表示部４５に４画面が設定された場合における表示部４５の画像表示領域の面積Ａ（ｐ，ｑ，ｒ）は下記のように表される。
Ａ（ｐ，ｑ，ｒ）＝Ｓ（ｐ，ｑ，ａ９９）＋Ｓ（ｒ−ｐ，ｑ，ａ１００）＋Ｓ（Ｗ−ｒ，ｑ，ａ１０１）＋Ｓ（Ｗ，Ｈ−ｑ，ａ１０２）
ここで、ａ９９、ａ１００、ａ１０１及びａ１０２夫々は、画面レイアウト４ｔについて左上、上中、右上及び下の画面に表示される画像のアスペクト比である。
【０１５９】
画面レイアウト４ｕに従って表示部４５に４画面が設定された場合における表示部４５の画像表示領域の面積Ａ（ｐ，ｒ，ｔ）は下記のように表される。
Ａ（ｐ，ｒ，ｔ）＝Ｓ（ｐ，Ｈ，ａ１０３）＋Ｓ（ｒ−ｐ，Ｈ，ａ１０４）＋Ｓ（ｔ−ｒ，Ｈ，ａ１０５）＋Ｓ（Ｗ−ｔ，Ｈ，ａ１０６）
ここで、ａ１０３、ａ１０４、ａ１０５及びａ１０６夫々は、画面レイアウト４ｕについて左から１番目、２番目、３番目及び４番目の画面に表示される画像のアスペクト比である。
【０１６０】
画面レイアウト４ｖに従って表示部４５に４画面が設定された場合における表示部４５の画像表示領域の面積Ａ（ｑ，ｓ，ｕ）は下記のように表される。
Ａ（ｑ，ｓ，ｕ）＝Ｓ（Ｗ，ｑ，ａ１０７）＋Ｓ（Ｗ，ｓ−ｑ，ａ１０８）＋Ｓ（Ｗ，ｕ−ｓ，ａ１０９）＋Ｓ（Ｗ，Ｈ−ｕ，ａ１１０）
ここで、ａ１０７、ａ１０８、ａ１０９及びａ１１０夫々は、画面レイアウト４ｖについて上から１番目、２番目、３番目及び４番目の画面に表示される画像のアスペクト比である。
【０１６１】
表示制御部２１は、表示部４５に設定する画面の数を変更するために複数の画面レイアウトを選定した場合、選定した複数の画面レイアウト夫々について、前述した計算式を用いて、表示部４５の画像表示領域の面積Ａを計算する。このとき、パラメータｐ、ｑ、ｒ、ｓ、ｔ及びｕの中で面積Ａの計算に用いたパラメータを、最急降下法又は共役勾配法等の公知のアルゴリズムを用いて調整し、各画面レイアウトについて画像表示領域の面積Ａの最大値を計算する。
【０１６２】
ここで、パラメータｐ、ｑ、ｒ、ｓ、ｔ及びｕを調整可能な範囲は各画面レイアウトに設定されており、表示制御部２１は、調整可能な調整範囲内で面積Ａの最大値を計算する。これは、パラメータｐ、ｑ、ｒ、ｓ、ｔ又はｕがゼロになったり、表示部４５の縦及び横の長さであるＷ又はＨに等しくなったりして画面レイアウトとして機能しなくなることを防止するためである。
【０１６３】
表示制御部２１は、選定した複数の画面レイアウト夫々について計算した面積Ａの最大値を比較して、面積Ａの最大値が最も大きい画面レイアウトを選択する。
【０１６４】
図１３及び図１４はブラウザ画面の重畳表示を説明するための説明図である。図１３Ａは表示部４５に表示されている画像を示している。ここでは、説明を簡単にするため、表示部４５に設定されている画面の数は１つであるとする。
【０１６５】
表示制御部２１は、制御部２０からブラウザ画面の追加指示を受け付けた場合、画面レイアウトの選定を停止し、設定部４４に指示して、ブラウザ画面６を、図１３Ｂに示すように、表示部４５に設定してある画面に重畳する。重畳したブラウザ画面全体に画像が表示される。ここで、表示部４５に設定された画面が表示している画像の非表示部分を少なくするため、ブラウザ画面６の画像表示領域は狭い方が好ましい。
【０１６６】
ブラウザ画面６は、オブジェクト６０及び６１が設けられた画像を表示しており、太線で示すカーソル７はオブジェクト６０の位置にある。ブラウザ画面６が表示している画像は、ブラウザ部２９がネットワーク５２から取得したウェブページに係る画像の一部であるため、オブジェクト６０及び６１の周辺には更なるオブジェクトが設けられている。
【０１６７】
表示制御部２１は、制御部２０から移動指示を受け付けて、カーソル７が下に移動した場合、カーソル７が位置しているオブジェクトが表示されていないため、ブラウザ画面６の画像表示領域を、カーソル７が位置しているオブジェクトが表示されるように計算する。そして、表示制御部２１は、計算した画像表示領域が表示可能領域内にある場合、図１３Ｃのように、ブラウザ画面６の画像表示領域を、計算した画像表示領域に拡大して、ブラウザ画面６にカーソル７が位置しているオブジェクト６２が示されている画像を表示する。
【０１６８】
図１３Ｃでは、画像表示領域が拡大したことによって、ブラウザ画面６は、オブジェクト６０及び６１に加えてオブジェクト６２及び６３が設けられた画像を表示している。ただし、ブラウザ画面６には、オブジェクト６３の一部が表示されている。
【０１６９】
表示制御部２１は、更に、制御部２０から移動指示を受け付けて、カーソル７が上に移動した場合、ブラウザ画面６が画像を表示する画像表示領域を、カーソル７が位置しているオブジェクト６０が表示されるように計算する。この場合、図１３Ｃで示すブラウザ画面６には、オブジェクト６０が設けられた画像が表示されているため、ブラウザ画面６の画像表示領域は変更されず、図１３Ｄに示すように、ブラウザ画面６には、カーソル７がオブジェクト６０に位置している画像が表示される。
【０１７０】
表示制御部２１は、ブラウザ画面６が図１３Ｃに示すような画像を表示している状態で、制御部２０から移動指示を受け付けて、ブラウザ部２９がカーソル７を右に移動した場合、ブラウザ画面６の画像表示領域を、カーソル７が位置しているオブジェクト６３が表示されるように計算する。ここでは、計算した画像表示領域が表示可能領域内にあるため、ブラウザ画面６は、図１３Ｅに示すように、画像表示領域を、計算した画像表示領域に拡大して、オブジェクト６３全体が示された画像を表示する。
【０１７１】
表示制御部２１は、更に、制御部２０から移動指示を受け付けて、カーソル７が右に移動した場合、ブラウザ画面６の画像表示領域を、カーソル７が位置しているオブジェクトが表示されるように計算する。ここで、計算された画像表示領域が表示可能領域内に収まらない。このとき、表示制御部２１は、図１３Ｆに示すように、ブラウザ画面６の画像表示領域を表示可能領域内で横方向に最大限拡大した後、カーソル７が位置しているオブジェクト６４が示されている画像をブラウザ画面６に表示する。これにより、オブジェクト６０及び６２については全体が表示されないが、オブジェクト６４全体が表示される。
【０１７２】
表示制御部２１は、ブラウザ画面６が図１３Ｅに示すような画像を表示している状態で、制御部２０から移動指示を受け付けて、ブラウザ部２９がカーソル７を下に移動した場合、ブラウザ画面６の画像表示領域を、カーソル７が位置しているオブジェクトが表示されるように計算する。ここで、計算された画像表示領域が表示可能領域内に収まらないとする。このとき、表示制御部２１は、図１４Ａに示すように、ブラウザ画面６の画像表示領域を表示可能領域内で縦方向に最大限拡大した後、カーソル７が位置しているオブジェクト６５が示されている画像をブラウザ画面に表示する。これにより、オブジェクト６０及び６１については全体が表示されないが、オブジェクト６５全体が表示される。
【０１７３】
表示制御部２１は、オブジェクト６５の選択の受付を示す通知を制御部２０から受け付けた場合、重畳しているブラウザ画面６を削除し、ブラウザ画面６を、テレビジョン画面、ビデオ画面又は説明画面と同様にして、表示部４５に設定している一又は複数の画面に追加する。これにより、図１４Ｂに示すように、表示部４５に設定している一又は複数の画面にブラウザ画面６が追加され、ブラウザ画面６が重畳していた画像と共にウェブページに係る画像が並列に表示される。
【０１７４】
図１５及び図１６は、表示制御部２１が実行する動作の手順を示すフローチャートである。まず、表示制御部２１は、受光部２２及び制御部２０を介して、リモートコントローラ５３からテレビジョン画面、ビデオ画面、ブラウザ画面若しくは説明画面の追加指示又は削減指示を受け付けたか否かを判定する（ステップＳ１）。
【０１７５】
表示制御部２１は、追加指示又は削減指示を受け付けていないと判定した場合（ステップＳ１：ＮＯ）、追加指示又は削減指示を受け付けるまでステップＳ１の判定を繰り返す。表示制御部２１は、追加指示又は削減指示を受け付けたと判定した場合（ステップＳ１：ＹＥＳ）、ステップＳ１で受け付けた指示がブラウザ画面の追加指示であるか否かを判定する（ステップＳ２）。
【０１７６】
表示制御部２１は、ブラウザ画面の追加指示ではないと判定した場合（ステップＳ２：ＮＯ）、追加指示又は削減指示に従って変更した数の画面を表示部４５に設定するための画面レイアウトと、使用されている画面レイアウトとの類似度を示す値とを記憶部２３から読み出す（ステップＳ３）。表示制御部２１は、読み出した画面レイアウトから、使用されている画面レイアウトとの類似度が所定値以上である画面レイアウトを選定する（ステップＳ４）。
【０１７７】
表示制御部２１は、ステップＳ４で複数の画面レイアウトを選定したか否かを判定する（ステップＳ５）。表示制御部２１は、複数の画面レイアウトを選定したと判定した場合（ステップＳ５：ＹＥＳ）、表示部４５に設定される一又は複数の画面によって表示される各画像のアスペクト比を決定する（ステップＳ６）。
【０１７８】
前述したように、表示制御部２１は、情報抽出部３６、３７又は３８から受け付けた画像フォーマット情報、解像度情報又はアスペクト比情報と、記憶部２３が記憶している画像表示モードからテレビジョン画面又はビデオ画面が表示する画像のアスペクト比を決定する。また、表示制御部２１は、ブラウザ部２９又はレンダラ部３０から受け付けた内容情報が示す画像の内容からブラウザ画面又は説明画面が表示する画像のアスペクト比を決定する。
【０１７９】
次に、表示制御部２１は、ステップＳ４で選定した複数の画面レイアウト夫々について表示部４５の画像表示領域の面積を計算し（ステップＳ７）、ステップＳ７で計算した面積が最も大きい画面レイアウトを選定する（ステップＳ８）。
これにより、表示装置１２は、表示部４５に、より無駄なく画像を表示することができる。ここで、ステップＳ７で計算する面積は、各画面レイアウトについて計算した面積の最大値である。
【０１８０】
表示制御部２１は、ステップＳ４で複数の画面レイアウトを選定していない場合（ステップＳ５：ＮＯ）、又は、ステップＳ８を実行した後、ステップＳ４又はＳ８で選定した画面レイアウトを示す画面レイアウト情報を設定部４４に出力する（ステップＳ９）。そして、表示制御部２１は、設定部４４に指示して、ステップＳ９で出力した画面レイアウト情報が示す画面レイアウトで表示部４５に一又は複数の画面を設定させる（ステップＳ１０）。更に、表示制御部２１は、設定部４４に指示して表示部４５に設定した一又は複数の画面夫々に画像を表示させる（ステップＳ１１）。
【０１８１】
表示制御部２１は、ステップＳ１で受け付けた指示がブラウザ画面の追加指示であると判定した場合（ステップＳ２：ＹＥＳ）、画面レイアウトの選定を停止し（ステップＳ１２）、設定部４４に指示して、表示部４５に設定してある一又は複数の画面にブラウザ画面を重畳する（ステップＳ１３）。
【０１８２】
表示制御部２１は、ステップＳ１３で重畳したブラウザ画面に表示されているカーソルを所定方向に移動することを指示する移動指示を受光部２２及び制御部２０を介してリモートコントローラ５３から受け付けたか否かを判定する（ステップＳ１４）。
【０１８３】
表示制御部２１は、移動指示を受け付けたと判定した場合（ステップＳ１４：ＹＥＳ）、移動指示に従って移動したカーソルが位置しているオブジェクトが表示されるようにブラウザ画面の画像表示領域を計算する（ステップＳ１５）。次に、表示制御部２１は、ステップＳ１５で計算した画像表示領域がブラウザ画面の表示可能領域を超えるか否かを判定する（ステップＳ１６）。
【０１８４】
表示制御部２１は、画像表示領域が表示可能領域を超えていると判定した場合（ステップＳ１６：ＹＥＳ）、ブラウザ画面の画像表示領域を表示可能領域内でカーソルが移動した方向に最大限拡大する（ステップＳ１７）。そして、表示制御部２１は、ステップＳ１７で最大限拡大した画像表示領域で、カーソルが位置しているオブジェクトが示されている画像をブラウザ画面に表示する（ステップＳ１８）。
【０１８５】
表示制御部２１は、画像表示領域が表示可能領域を超えていないと判定した場合（ステップＳ１６：ＮＯ）、ステップＳ１５で計算した画像表示領域でウェブページに係る画像をブラウザ画面に表示する（ステップＳ１９）。
【０１８６】
表示制御部２１は、移動指示を受け付けていないと判定した場合（ステップＳ１４：ＮＯ）、ブラウザ画面に表示されているオブジェクトの選択を受光部２２及び制御部２０を介してリモートコントローラ５３から受け付けたか否かを判定する（ステップＳ２０）。表示制御部２１は、制御部２０からオブジェクトの選択の受付を示す通知を受け付けたか否かによって、オブジェクトの選択を受け付けたか否かを判定する。
【０１８７】
表示制御部２１は、オブジェクトの選択を受け付けたと判定した場合（ステップＳ２０：ＹＥＳ）、ステップＳ１３で重畳したブラウザ画面を削除する（ステップＳ２１）。
【０１８８】
次に、表示制御部２１は、ブラウザ画面の追加によって変更した数の画面を表示部４５に設定するための画面レイアウトと、使用されている画面レイアウトとの類似度を示す値とを記憶部２３から読み出す（ステップＳ２２）。表示制御部２１は、記憶部２３から読み出した類似度を示す値にブラウザ画面の挿入位置に係る値を加算し（ステップＳ２３）、類似度を示す値と挿入位置に係る値との合計が所定値以上である画面レイアウトを選定する（ステップＳ２４）。
【０１８９】
これにより、ブラウザ画面が表示部４５の右側に表示されるより自然な画面レイアウトが選定され、画面レイアウトの変更がより自然になり、画面レイアウトの変更による使用者の違和感を少なくすることができる。
【０１９０】
表示制御部２１は、ステップＳ２４を実行した後、処理をステップＳ５に移す。この場合、表示制御部２１は、ステップＳ５では、ステップＳ２４で複数の画面レイアウトを選定したか否かを判定し、ステップＳ７では、ステップＳ２４で選定した複数の画面レイアウト夫々について表示部４５の画面表示領域の面積を計算する。更に、表示制御部２１は、ステップＳ２４を実行した場合におけるステップＳ９では、ステップＳ２４又はＳ８で選定した画面レイアウトを示す画面レイアウト情報を設定部４４に出力する。
【０１９１】
表示制御部２１は、オブジェクトの選択を受け付けていないと判定した場合（ステップＳ２０：ＮＯ）、ステップＳ１３で重畳したブラウザ画面の削除指示を受光部２２及び制御部２０を介してリモートコンローラ５３から受け付けたか否かを判定する（ステップＳ２５）。
【０１９２】
表示制御部２１は、削除指示を受け付けていないと判定した場合（ステップＳ２５：ＮＯ）、又は、ステップＳ１８若しくはＳ１９でブラウザ画面に画像を表示した後、処理をステップＳ１４に戻す。表示制御部２１は、削除指示を受け付けたと判定した場合（ステップＳ２５：ＹＥＳ）、ステップＳ１３で重畳したブラウザ画面を削除する（ステップＳ２６）。
【０１９３】
表示制御部２１は、ステップＳ１１又はステップＳ２６を実行した後、処理を終了し、改めてステップＳ１を実行する。
【０１９４】
表示装置１２は、表示部４５に設定する画面の数を１だけではなく、例えば、１画面から３画面に遷移して、２以上変更することも可能である。この場合、表示制御部２１は、図１５及び図１６に示す動作の手順を、追加又は削減を行った画面の数だけ繰り返せばよい。
【０１９５】
実施の形態１に係る表示装置にあっては、使用者は、テレビジョン画面、ビデオ画面、ブラウザ画面若しくは説明画面の追加、又は、削減を、リモートコントローラ５３を用いて指示して画面数を変更する場合に画面レイアウトを選定する必要がない。このため、表示装置１２は画面数の変更に係る使用者の負荷を小さくすることができる。
【０１９６】
また、使用されている画面レイアウトとの類似度を示す値が所定値以上である画面レイアウトで表示部４５に一又は複数の画面が設定されるので、表示部４５に設定される画面の変更が自然である。
【０１９７】
更に、表示装置１２は、リモートコントローラ５３から追加指示又は削減指示を受け付けて表示部４５に設定する画面の数を変更する場合に、変更した画面数と同じ数だけ画面を表示部４５に設定する画面レイアウトを選定するので、表示部４５に無駄なく画像を表示することができる。
【０１９８】
また、表示装置１２は、ブラウザ画面の追加指示をリモートコントローラ５３から受け付けた場合にブラウザ画面を表示部４５に設定してある一又は複数の画面に重畳する。更に、表示装置１２は、重畳したブラウザ画面に表示するオブジェクトの選択を受け付けた場合にブラウザ画面を表示部４５が設定する画面に追加する。これにより、使用者はブラウザ画面を短時間だけ使用する場合、画面レイアウトを変えることなくウェブページに係る画像を閲覧することができ、オブジェクトを選択してブラウザ画面を長時間使用する場合に画面を表示している画面と並列にブラウザ画面を表示する。このため、使用者の利便性が向上する。
【０１９９】
（実施の形態２）
図１７は実施の形態２におけるテレビジョン受信装置の構成を示すブロック図である。実施の形態１と同様の部分については、同一の符号を付して説明を省略する。
【０２００】
実施の形態２におけるテレビジョン受信装置８は、チューナ部１０，１１及び表示装置８０を備えている。表示装置８０は、表示装置１２が有する構成部に加えて、ＵＳＢ（Universal Serial Bus）インタフェース４６を有する。
【０２０１】
ＵＳＢインタフェース４６は、可搬型の記録媒体９に接続可能に構成されている。可搬型の記録媒体９には、表示部４５に設定する画面の追加指示又は削減指示、即ち、該画面の数を変更する指示に従って変更した数の画面を表示部４５に設定するための画面レイアウトから、使用されている画面レイアウトとの類似度を示す値が所定値以上である画面レイアウトを選定する選定ステップ、又は、選定した画面レイアウトで表示部４５に一又は複数の画面を設定する設定ステップ等をコンピュータに実行させるコンピュータプログラム９０が記憶されている。記録媒体９は例えばＵＳＢメモリである。
【０２０２】
表示制御部２１は、ＵＳＢインタフェース４６を介して記録媒体９に記憶されているコンピュータプログラム９０を読み出して、読み出したコンピュータプログラム９０を実行する。これにより、表示装置８０、及び、表示装置８０を備えるテレビジョン受信装置８は、実施の形態１における表示装置１２及びテレビジョン受信装置１と同様に動作する。
【０２０３】
なお、実施の形態１及び２において、表示装置１２又は８０が受け付けるテレビジョン放送に係る画像音声信号の数は２に限定されず、１でもよく、３以上でもよい。同様に、表示装置１２が受け付ける外部機器５１から受け付ける画像音声信号の数と、ネットワーク５２から取得するウェブページに係る画像信号の数とは、１に限定されず、２以上でもよい。
【０２０４】
また、表示装置１２又は８０は、使用者がリモートコントローラ５３に入力し、リモートコントローラ５３からアスペクト比を示す信号を受光することによって、表示部４５に設定される一又は複数の画面夫々に表示する画像のアスペクト比を取得するように構成してもよい。
【０２０５】
更に、表示装置１２又は８０は、受光部２２がリモートコントローラ５３から受け付ける指示又は選択を使用者から直接受け付ける受付部を備えてもよい。この場合、受付部は、受け付けた指示を制御部２０に出力し、選択の受付を制御部２０に通知する。
【０２０６】
また、表示装置１２又は８０が表示できる画面の数は１画面から４画面に限定されず、１画面から５画面以上であってもよい。この場合、記憶部２３には、５画面以上の画面を表示部４５に設定するための画面レイアウトと、該画面レイアウトに対応する、類似度を示す値とを記憶している。
【０２０７】
また、ブラウザ画面の挿入位置に係る値を、ブラウザ画面の挿入位置が右側にある程高く設定しなくてもよい。ブラウザ画面の挿入位置に係る値を、ブラウザ画面の挿入位置が左側、上側又は下側にある程高く設定してもよい。
【０２０８】
また、表示装置１２又は８０は、ブラウザ画面をテレビジョン画面、ビデオ画面又は説明画面と同様に追加して画面レイアウトを選定する場合に、類似度を示す値と、ブラウザ画面の挿入位置に係る値との合計ではなく、類似度を示す値が所定値以上の画面レイアウトを選定してもよい。この場合、表示制御部２１は、図１５及び図１６に示す動作の手順において、ステップＳ２２を実行した後、ステップ２４に処理を移し、ステップＳ２４では記憶部２３から読み出した、類似度を示す値が所定値以上の画面レイアウトを選定する。
【０２０９】
また、表示装置１２又は８０は、ブラウザ画面の追加指示を受け付けた場合に、表示部４５に設定してある一又は複数の画面に重畳してブラウザ画面に表示しなくてもよく、ブラウザ画面をテレビジョン画面又はビデオ画面等が追加指示を受け付けた場合と同様の処理を実行してもよい。この場合、表示制御部２１は、図１５及び図１６に示す動作の手順において、ステップＳ２を実行しない。
【０２１０】
また、表示装置１２又は８０は、選定した複数の画面レイアウトから、計算した表示部４５の画像表示領域の面積に基づいて一の画面レイアウトを選定しなくてもよい。表示装置１２又は８０は、例えば、類似度を示す値が所定値以上の画面レイアウトの中で最初に検出した画面レイアウトを選定してもよいし、面積以外の他の要素に基づいて一の画面レイアウトを選定してもよい。
【符号の説明】
【０２１１】
１，８  テレビジョン受信装置
１０，１１  チューナ部
１２，８０  表示装置
２ａ，２ｂ，３ａ，３ｂ，３ｃ，３ｄ，３ｅ，３ｆ，４ａ，４ｂ，４ｃ，４ｄ，４ｅ，４ｆ，４ｇ，４ｈ，４ｉ，４ｊ，４ｋ，４ｌ，４ｍ，４ｎ，４ｏ，４ｐ，４ｑ，４ｒ，４ｓ，４ｔ，４ｕ，４ｖ  画面レイアウト
２０  制御部
２１  表示制御部
２２  受光部
４４  設定部
４５  表示部
６  ブラウザ画面
６０，６１，６２，６３，６４，６５  オブジェクト
９  記録媒体
９０  コンピュータプログラム
【図１】
0005319851.tif 000002
【図２】
0005319851.tif 000003
【図３】
0005319851.tif 000004
【図４】
0005319851.tif 000005
【図５】
0005319851.tif 000006
【図６】
0005319851.tif 000007
【図７】
0005319851.tif 000008
【図８】
0005319851.tif 000009
【図９】
0005319851.tif 000010
【図１０】
0005319851.tif 000011
【図１１】
0005319851.tif 000012
【図１２】
0005319851.tif 000013
【図１３】
0005319851.tif 000014
【図１４】
0005319851.tif 000015
【図１５】
0005319851.tif 000016
【図１６】
0005319851.tif 000017
【図１７】
0005319851.tif 000018